(57)【要約】【課題】本発明は、リストにより所望のコンテンツデータを容易に選択させる。【解決手段】本発明は、情報追加部１６により、アルバムデータの選択に利用可能な当該アルバムデータの識別情報のテンポラリリストＴＬ１に対し、アルバムデータの再生に応じて当該アルバムデータの識別情報を追加し、またアルバムデータの記録に応じて当該アルバムデータの識別情報を追加して、情報削除部１８により、アルバムデータの再生又は記録の履歴に応じて、テンポラリリストＴＬ１から特定のアルバムデータの識別情報を削除することにより、テンポラリリストＴＬ１を、ユーザにより選択される可能性の比較的高いアルバムデータの変化に応じて更新することができ、かくしてテンポラリリストＴＬ１により所望のアルバムデータを容易に選択させることができる。【選択図】図６
2008158593.tif 000002
【特許請求の範囲】
【請求項１】
コンテンツデータの選択に利用可能な当該コンテンツデータの識別情報のリストを更新するリスト更新装置であって、
上記リストに対し、上記コンテンツデータの再生に応じて当該コンテンツデータの上記識別情報を追加し、上記コンテンツデータの記録に応じて当該コンテンツデータの上記識別情報を追加する情報追加部と、
上記コンテンツデータの再生又は記録の履歴に応じて、上記リストから特定のコンテンツデータの上記識別情報を削除する情報削除部と
を具えることを特徴とするリスト更新装置。
【請求項２】
上記情報追加部は、
上記コンテンツデータの再生に応じて当該コンテンツデータの上記識別情報を上記リストの先頭に追加し、上記コンテンツデータの記録に応じて当該コンテンツデータの上記識別情報を上記リストの先頭に追加する
ことを特徴とする請求項１に記載のリスト更新装置。
【請求項３】
上記情報削除部は、
上記リストに追加される上記コンテンツデータの上記識別情報の数に応じて、上記コンテンツデータの上記再生又は記録の履歴に基づき最も先に追加された上記特定のコンテンツデータの上記識別情報を削除する
ことを特徴とする請求項１に記載のリスト更新装置。
【請求項４】
上記情報追加部は、
上記コンテンツデータの再生又は記録の際に、当該コンテンツデータの上記再生又は記録の履歴としての再生日時又は記録日時を対応付けた上記識別情報を上記リストに追加し、
上記情報削除部は、
上記リスト内の上記識別情報に対応付けられる上記再生日時又は記録日時に応じて、上記リストから上記特定のコンテンツデータの上記識別情報を削除する
ことを特徴とする請求項１に記載のリスト更新装置。
【請求項５】
上記情報追加部は、
上記コンテンツデータとしてのアルバムデータの再生に応じて当該アルバムデータの上記識別情報を上記リストに追加し、上記コンテンツデータとしてのアルバムデータの記録に応じて当該アルバムデータの上記識別情報を上記リストに追加する
ことを特徴とする請求項１に記載のリスト更新装置。
【請求項６】
上記情報追加部は、
上記コンテンツデータとしてのトラックデータの再生に応じて当該トラックデータの上記識別情報を上記リストに追加し、上記コンテンツデータとしてのトラックデータの記録に応じて当該トラックデータの上記識別情報を上記リストに追加する
ことを特徴とする請求項１に記載のリスト更新装置。
【請求項７】
上記リストを表示する表示部
を具えることを特徴とする請求項１に記載のリスト更新装置。
【請求項８】
上記表示部は、
上記コンテンツデータとしてのアルバムデータ又はトラックデータ単位の上記識別情報を有する上記リストから生成されたアーティスト名の上記リストを表示する
ことを特徴とする請求項７に記載のリスト更新装置。
【請求項９】
上記情報追加部は、
設定されている再生モードに応じて、再生される上記コンテンツデータの上記識別情報を上記リストに追加する
ことを特徴とする請求項１に記載のリスト更新装置。
【請求項１０】
上記情報追加部は、
上記設定されている上記再生モードがシャッフル再生モード又はランダム再生モードのとき、再生される上記コンテンツデータの上記識別情報を上記リストに追加しない
ことを特徴とする請求項９に記載のリスト更新装置。
【請求項１１】
上記情報追加部は、
上記設定されている上記再生モードが上記コンテンツデータとしてのアルバムデータ内の複数のトラックデータに対するシャッフル再生モード又はランダム再生モードのとき、再生される上記アルバムデータの上記識別情報を上記リストに追加する
ことを特徴とする請求項９に記載のリスト更新装置。
【請求項１２】
上記情報削除部は、
上記リスト内の特定のコンテンツデータの上記識別情報について削除を禁止するように設定する
ことを特徴とする請求項１に記載のリスト更新装置。
【請求項１３】
上記情報削除部は、
上記リスト内の特定のコンテンツデータとしてのアルバムデータの上記識別情報について削除を禁止するように設定する
ことを特徴とする請求項１２に記載のリスト更新装置。
【請求項１４】
上記情報削除部は、
上記リスト内の特定のコンテンツデータとしてのトラックデータの上記識別情報について削除を禁止するように設定する
ことを特徴とする請求項１２に記載のリスト更新装置。
【請求項１５】
コンピュータに対して、
コンテンツデータの識別情報のリストに対し、上記コンテンツデータの再生に応じて当該コンテンツデータの上記識別情報を追加し、上記コンテンツデータの記録に応じて当該コンテンツデータの上記識別情報を追加する情報追加ステップと、
上記コンテンツデータの再生又は記録の履歴に応じて、上記リストから特定のコンテンツデータの上記識別情報を削除する情報削除ステップと
を実行させるためのリスト更新プログラム。
【請求項１６】
コンテンツデータの選択に利用可能な当該コンテンツデータの識別情報のリストを更新するリスト更新方法であって、
上記リストに対し、上記コンテンツデータの再生に応じて当該コンテンツデータの上記識別情報を追加し、上記コンテンツデータの記録に応じて当該コンテンツデータの上記識別情報を追加する情報追加ステップと、
上記コンテンツデータの再生又は記録の履歴に応じて、上記リストから特定のコンテンツデータの上記識別情報を削除する情報削除ステップと
を具えることを特徴とするリスト更新方法。
【発明の詳細な説明】
【技術分野】
【０００１】
本発明はリスト更新装置、リスト更新プログラム及びリスト更新方法に関し、例えば音楽データを再生する携帯型再生装置に適用して好適なものである。
【背景技術】
【０００２】
従来の携帯型再生装置は、記録媒体の容量が比較的少なく、記録可能な音楽データの数に限りがあった。このこめ携帯型再生装置に音楽データをチェックアウト（すなわち、音楽データを転送し記録媒体に記録）可能なパーソナルコンピュータは、当該携帯型再生装置にチェックアウトする音楽データの選択基準を「最近聞かれた曲」や「チェックアウト回数の少ない曲」等のように、ユーザに選択させて設定していた。そしてパーソナルコンピュータは、携帯型再生装置が接続されたときには、自動的に選択基準に従って音楽データを選択してチェックアウトしていた。これにより携帯型再生装置は、記録媒体に記録する音楽データを適宜変更し、ユーザに聴かせる音楽が冗長にならないようにしていた（例えば、特許文献１参照）。
【特許文献１】特開２００３−７７２１４公報（第１０頁、第１４頁）
【発明の開示】
【発明が解決しようとする課題】
【０００３】
ところで近年、携帯型再生装置では、記録媒体の容量が飛躍的に増大し、これに伴い記録可能な音楽データの数も急速に増加している。そして携帯型再生装置の中には、従来のパーソナルコンピュータと同様に多数（例えば、数千曲）の音楽データを記録媒体に記録し得るものもある。このため携帯型再生装置では、記録媒体に記録した多数の音楽データに例えばジャンル名やアーティスト名、アルバムタイトル等を対応付けておき、これらジャンル名やアーティスト名、アルバムタイトル等を検索条件として所望の音楽データを選択させるようにしている。
【０００４】
ところが携帯型再生装置を使用するユーザは、多数の音楽データの中でも好みの印象に合った音楽の音楽データや、ＣＤ（Compact Disc）及びインターネット上の配信を利用し取得して間もない音楽の音楽データほど選択する可能性が比較的高い傾向にある。そしてユーザにより選択される可能性の比較的高い複数の音楽データについては、必ずしも同一の検索条件で検索し得るものではない。またユーザにより選択される可能性が比較的高い複数の音楽データは、固定的ではなく、例えば音楽データが新たに取得されたとき等に変化する。このため近年の携帯型再生装置では、多数の音楽データの中から幾つかの音楽データを順次選択するような場合、検索条件を適宜変更させて所望の音楽データを選択させるような煩雑な操作を繰り返し行わせる必要があり、所望の音楽データを容易には選択させ難いと言う問題があった。
【０００５】
本発明は以上の点を考慮してなされたもので、リストにより所望のコンテンツデータを容易に選択させ得るリスト更新装置、リスト更新プログラム及びリスト更新方法を提案しようとするものである。
【課題を解決するための手段】
【０００６】
かかる課題を解決するため本発明においては、情報追加部により、コンテンツデータの選択に利用可能な当該コンテンツデータの識別情報のリストに対し、コンテンツデータの再生に応じて当該コンテンツデータの識別情報を追加し、またコンテンツデータの記録に応じて当該コンテンツデータの識別情報を追加して、情報削除部により、コンテンツデータの再生又は記録の履歴に応じて、リストから特定のコンテンツデータの識別情報を削除するようにした。
【０００７】
従って本発明では、コンテンツデータの識別情報のリストを、ユーザにより選択される可能性の比較的高いコンテンツデータの変化に応じて更新することができる。
【発明の効果】
【０００８】
本発明によれば、情報追加部により、コンテンツデータの選択に利用可能な当該コンテンツデータの識別情報のリストに対し、コンテンツデータの再生に応じて当該コンテンツデータの識別情報を追加し、またコンテンツデータの記録に応じて当該コンテンツデータの識別情報を追加して、情報削除部により、コンテンツデータの再生又は記録の履歴に応じて、リストから特定のコンテンツデータの識別情報を削除するようにしたことにより、コンテンツデータの識別情報のリストを、ユーザにより選択される可能性の比較的高いコンテンツデータの変化に応じて更新することができ、かくしてリストにより所望のコンテンツデータを容易に選択させ得るリスト更新装置、リスト更新プログラム及びリスト更新方法を実現することができる。
【発明を実施するための最良の形態】
【０００９】
以下図面について、本発明の一実施の形態を詳述する。
【００１０】
（１）概要
図１において、１は全体として本発明によるリスト更新装置の構成の概要を示す。かかるリスト更新装置１は、コンテンツデータの選択に利用可能な当該コンテンツデータの識別情報のリストを更新するものである。そしてリスト更新装置１において情報追加部２は、そのリストに対し、コンテンツデータの再生に応じて当該コンテンツデータの識別情報を追加し、またコンテンツデータの記録に応じて当該コンテンツデータの識別情報を追加する。またリスト更新装置１において情報削除部３は、コンテンツデータの再生又は記録の履歴に応じて、リストから特定のコンテンツデータの識別情報を削除する。かかる構成によりリスト更新装置１は、コンテンツデータの識別情報のリストを、ユーザにより選択される可能性の比較的高いコンテンツデータの変化に応じて更新することができる。よってリスト更新装置１は、リストにより所望のコンテンツデータを容易に選択させることができる。
【００１１】
（２）第１の実施の形態
（２−１）第１の実施の形態による携帯型再生装置の構成
図２において、１０は第１の実施の形態による携帯型再生装置の機能回路ブロックによる詳細なハードウェア構成を示す。かかる携帯型再生装置１０は、多数の音楽データを記録保持し、屋内のみならず外出先等でも音楽データを再生してユーザに音楽を聴かせることができる。なお以下の説明では、１曲の音楽をトラックと呼び、当該１曲の音楽の音楽データをトラックデータと呼ぶ。また以下の説明では、複数曲の音楽をまとめるアルバムやシングルを単にアルバムと呼び、１つのアルバムやシングルに収録される複数の音楽データ（すなわち、トラックデータ）をまとめてアルバムデータと呼ぶ。
【００１２】
この場合、携帯型再生装置１０において接続部１１は、外部装置１２と接続し得るようになされている。外部装置１２は、例えばＣＤ（Compact Disc）やインターネット上の配信を利用してアルバム単位で多数のトラックデータを取得し記録保持している。また外部装置１２は、これら多数のトラックデータにそれぞれ関連するトラック関連情報も例えばインターネット上の情報提供装置から取得し、当該トラックデータに対応付けて記録保持している。そして外部装置１２は、携帯型再生装置１０と接続されたとき、その携帯型再生装置１０に対しアルバムデータをこれに対応する複数のトラック関連情報（すなわち、１つのアルバムに収録された複数のトラックデータに関連する複数のトラック関連情報であり、以下、これらをまとめてアルバム関連情報と呼ぶ）と共に適宜転送し得るようになされている。
【００１３】
因みにトラック関連情報は、対応するトラックデータ固有のユニークなＩＤ（IDentification）や、当該トラックデータに基づくトラックのトラックタイトル及びアーティスト名、トラックの属するジャンルのジャンル名、当該トラックデータが収録されたアルバムのアルバムタイトル、そのトラックデータに対しアルバム内で予め規定されている再生順序、アルバム固有のユニークなＩＤ（すなわち、アルバムを個別に識別可能な識別情報であり、以下、これをアルバム識別情報と呼ぶ）等の種々の情報を含んでいる。
【００１４】
接続部１１は、外部装置１２と接続された状態で、当該外部装置１２からアルバムデータ及び対応するアルバム関連情報が転送される毎に、これらアルバムデータ及び対応するアルバム関連情報を取り込んでデータ記録部１３に送出する。これにより接続部１１は、データ記録部１３に対し多数のアルバムデータを記録すると共に、多数のアルバム関連情報もアルバムデータに対応付けて（実際には、複数のトラック関連情報をそれぞれトラックデータに対応付けて）記録する。因みに接続部１１は、データ記録部１３に対し、アルバムデータの記録が完了すると、当該記録の完了した日時を記録日時として、例えばアルバムデータに対応するアルバム関連情報（実際には、１つのアルバムに収録された複数のトラックデータに対応する複数のトラック関連情報の何れか）に追加する。
【００１５】
また再生部１４は、データ記録部１３に記録された多数のアルバムデータを、アルバム関連情報に基づきジャンル名で分類する。また再生部１４は、ジャンル名毎の複数のアルバムデータを、さらにアーティスト名で分類する。さらに再生部１４は、アーティスト名毎の複数のアルバムデータを、アルバムタイトルにより分類する。そして再生部１４は、データ記録部１３に記録された多数のアルバムデータをジャンル名、アーティスト名、アルバムタイトルにより階層的に管理している。従って再生部１４は、データ記録部１３に記録された多数のアルバムデータの中から、ユーザに対しジャンル名やアーティスト名、アルバムタイトル、トラックタイトル等を検索条件として所望のアルバムデータを容易に検索させ、その検索結果に応じて再生対象のアルバムデータを選択させ得るようになされている。
【００１６】
実際に再生部１４は、操作部１５に対するユーザ操作に応じて再生対象のアルバムデータが選択されると共に、再生命令が入力されると、これに応じてデータ記録部１３から、ユーザにより選択されたアルバムデータ（実際には、アルバムデータ内の複数のトラックデータを順次）読み出す。そして再生部１４は、そのアルバムデータ（実際には、アルバムデータ内の複数のトラックデータそれぞれ）に対しエンコード処理等の所定の再生処理を施して複数のトラック（すなわち、複数の音楽）として出力する。このようにして再生部１４は、ユーザに対しアルバム内の複数のトラックを順次聴かせることができる。
【００１７】
ところで一般的にユーザは、購入等によってアルバム（又は、トラック）を取得すると、その取得したアルバム（又は、トラック）が自分の好みの印象に合っているかどうかを確認するために聴き、アルバム（又は、トラック）が好みの印象に合っていると、その後も良く聴く傾向にある。またユーザは、取得したアルバム（又は、トラック）が好みの印象に合わないと、あまり聴かなくなる傾向にある。さらにユーザは、好みの印象に合ったアルバム（又は、トラック）を新たに見つけると、そのアルバム（又は、トラック）を良く聴く反面、それまでは好みの印象に合っていることで良く聴いていたアルバム（又は、トラック）をあまり聴かなくなることがある。
【００１８】
さらにまたユーザは、もともとあまり聴いてはいなかったアルバム（又は、トラック）でも時間がたつと好みが変化して聴くようになったり、以前は良く聴いていたアルバム（又は、トラック）でも、懐かしさ等により再び聴くようになることがある。このようにユーザは、取得して間もないアルバム（又は、トラック）や好みの印象に合ったアルバム（又は、トラック）ほど良く聴き、新たなアルバム（又は、トラック）の取得や好みの変化等により、良く聴くアルバム（又は、トラック）が時間の経過と共に変化する傾向にある。
【００１９】
このため携帯型再生装置１０でも、データ記録部１３に記録した全てのアルバムデータについて、それぞれ同じようにユーザにより再生対象として選択される可能性が高いわけではない。すなわち携帯型再生装置１０でも、ユーザの好みの印象に合ったアルバムデータや、データ記録部１３に記録して間もないアルバムデータほど再生対象として選択される可能性が高くなる。そして携帯型再生装置１０では、ユーザにより再生対象として選択される可能性の比較的高いアルバムデータが時間の経過と共に変化する傾向にある。
【００２０】
従って情報追加部１６は、データ記録部１３に記録された多数のアルバムデータの中でも、ユーザにより再生対象として選択される可能性の比較的高い複数のアルバムデータを、当該選択される可能性が比較的高い間だけ一時的に登録するためのリスト（以下、これをテンポラリリストと呼ぶ）を生成し、これをリスト記録部１７に記録している。この場合、図３及び図４に示すように、テンポラリリストＴＬ１は、複数のアルバムデータを登録するための複数のリスト項目（以下、これをエントリと呼ぶ）ＥＴ１乃至ＥＴＮが並べられて構成されている。
【００２１】
すなわち、テンポラリリストＴＬ１では、１つのエントリＥＴ１乃至ＥＴＮにより、１つのアルバムデータを登録し得るようになされている。またテンポラリリストＴＬ１については、これを構成するエントリＥＴ１乃至ＥＴＮの最大数が予め所定数（例えば、10以下の所定数のアルバムデータを登録し得るよう）に設定されている。
【００２２】
そしてエントリＥＴ１乃至ＥＴＮは、テンポラリリストＴＬ１内における他のエントリＥＴ１乃至ＥＴＮとの並びの順番に従い１つ前（すなわち、並びの先頭側で１つ隣り）のエントリＥＴ１乃至ＥＴＮを示す前方リンク情報ＦＬを格納する前方リンク情報格納部ＦＬＰを有している。またエントリＥＴ１乃至ＥＴＮは、テンポラリリストＴＬ１内における他のエントリＥＴ１乃至ＥＴＮとの並びの順番に従い１つ後（すなわち、並びの後尾側で１つ隣り）のエントリＥＴ１乃至ＥＴＮを示す後方リンク情報ＢＬを格納する後方リンク情報格納部ＢＬＰも有している。
【００２３】
さらにエントリＥＴ１乃至ＥＴＮは、対応するアルバムデータがデータ記録部１３に記録されたときの日時（以下、これを記録日時と呼ぶ）ＷＴを格納する記録日時格納部ＷＴＰも有している。さらにエントリＥＴ１乃至ＥＴＮは、対応するアルバムデータが再生部１４により再生されたときの日時（以下、これを再生日時と呼ぶ）ＲＴを格納する再生日時格納部ＲＴＰも有している。さらにまたエントリＥＴ１乃至ＥＴＮは、対応するアルバムデータを示す音楽情報ＭＩを格納する音楽情報格納部ＭＩＰも有している。
【００２４】
情報追加部１６は、データ記録部１３に１つのアルバムデータが記録されたとき、その記録に応じて当該１つのアルバムデータをテンポラリリストＴＬ１に登録するための空のエントリＥＴ１乃至ＥＴＮを１つ用意する。そして情報追加部１６は、アルバムデータの記録が完了した日時を記録日時ＷＴ（すなわち、アルバム関連情報に追加された記録日時である）としてエントリＥＴ１乃至ＥＴＮの記録日時格納部ＷＴＰに格納する。また情報追加部１６は、このときアルバムデータに対応するアルバム関連情報に基づいて音楽情報ＭＩを生成し、当該生成した音楽情報ＭＩをエントリＥＴ１乃至ＥＴＮの音楽情報格納部ＭＩＰに格納する。
【００２５】
因みに音楽情報ＭＩは、１つのアルバムに収録された複数のトラックデータそれぞれを個別に識別可能なトラック識別情報や、そのアルバムを個別に識別可能なアルバム識別情報、アルバムタイトル、複数のトラックデータそれぞれに対応するトラックタイトル、アーティスト名等から構成されている。またトラック識別情報は、データ記録部１３におけるトラックデータの記憶場所を示すパスやトラック関連情報に含まれるトラックデータ固有のＩＤ等である。
【００２６】
このようにして情報追加部１６は、データ記録部１３に対し１つのアルバムデータが記録される毎に、当該１つのアルバムデータをテンポラリリストＴＬ１に登録するためのエントリＥＴ１乃至ＥＴＮを生成する。そして情報追加部１６は、エントリＴＬ１乃至ＥＴＮを生成する毎に、これをリスト記録部１７に送出して記録する。
【００２７】
ところで図５に示すように、情報追加部１６が１つ目のエントリＥＴＮを生成した場合、テンポラリリストＴＬ１内には他のエントリＥＴ１乃至ＥＴ（Ｎ−１）が存在しないことにより、当該１つ目のエントリＥＴＮがテンポラリリストＴＬ１において並びの先頭及び後尾の何れにもなる。
【００２８】
従って情報追加部１６は、１つ目のエントリＥＴＮを生成したとき、テンポラリリストＴＬ１内で当該１つ目のエントリＥＴＮが並びの先頭であることを示す前方リンク情報ＦＬを１つ目のエントリＥＴＮの前方リンク情報格納部ＦＬＰに格納する。また情報追加部１６は、このときテンポラリリストＴＬ１内で１つ目のエントリＥＴＮが並びの後尾であることを示す後方リンク情報ＢＬを当該１つ目のエントリＥＴＮの後方リンク情報格納部ＢＬＰに格納する。これにより情報追加部１６は、その時点までは空であったテンポラリリストＴＬ１に１つ目のエントリＥＴＮを追加する。
【００２９】
また情報追加部１６は、２つ目のエントリＥＴ（Ｎ−１）を生成したとき、テンポラリリストＴＬ１内で当該２つ目のエントリＥＴ（Ｎ−１）が並びの先頭であることを示す前方リンク情報ＦＬを２つ目のエントリＥＴ（Ｎ−１）の前方リンク情報格納部ＦＬＰに格納する。また情報追加部１６は、このとき１つ目のエントリＥＴＮの例えば開始位置（すなわち、エントリＥＴＮを形成するデータ列の先頭位置であり、以下、これをエントリ開始位置と呼ぶ）を示す後方リンク情報ＢＬを２つ目のエントリＥＴ（Ｎ−１）の後方リンク情報格納部ＢＬＰに格納する。さらに情報追加部１６は、このとき１つ目のエントリＥＴＮの前方リンク情報ＦＬの内容を２つ目のエントリＥＴ（Ｎ−１）のエントリ開始位置を示すように変更する。これにより情報追加部１６は、テンポラリリストＴＬ１において２つ目のエントリＥＴ（Ｎ−１）を１つ目のエントリＥＴＮと並びを規定するように連結して、当該２つ目のエントリＥＴ（Ｎ−１）をテンポラリリストＴＬ１の先頭に追加すると共に、１つ目のエントリＥＴＮの順番を後尾側に１つ繰り下げる。
【００３０】
これに加えて情報追加部１６は、３つ目のエントリＥＴ（Ｎ−２）を生成したとき、テンポラリリストＴＬ１内で当該３つ目のエントリＥＴ（Ｎ−２）が並びの先頭であることを示す前方リンク情報ＦＬを３つ目のエントリＥＴ（Ｎ−２）の前方リンク情報格納部ＦＬＰに格納する。また情報追加部１６は、このとき２つ目のエントリＥＴ（Ｎ−１）のエントリ開始位置を示す後方リンク情報ＢＬを３つ目のエントリＥＴ（Ｎ−２）の後方リンク情報格納部ＢＬＰに格納する。さらに情報追加部１６は、このとき２つ目のエントリＥＴ（Ｎ−１）の前方リンク情報ＦＬの内容を３つ目のエントリＥＴ（Ｎ−２）のエントリ開始位置を示すように変更する。これにより情報追加部１６は、テンポラリリストＴＬ１において３つ目のエントリＥＴ（Ｎ−２）を２つ目のエントリＥＴ（Ｎ−１）と並びを規定するように連結して、当該３つ目のエントリＥＴ（Ｎ−２）をテンポラリリストＴＬ１の先頭に追加すると共に、１つ目のエントリＥＴＮ及び２つ目のエントリＥＴ（Ｎ−１）の順番を後尾側に順次１つ繰り下げる。
【００３１】
このようにして情報追加部１６は、データ記録部１３に対し１つのアルバムデータが記録される毎に、当該１つのアルバムデータに対応するエントリＥＴ１乃至ＥＴＮを他のエントリＥＴ１乃至ＥＴＮと並びを規定するように連結しながらテンポラリリストＴＬ１の先頭に追加する。これにより情報追加部１６は、１つのアルバムデータを１つのエントリＥＴ１乃至ＥＴＮによりテンポラリリストＴＬ１に登録する。
【００３２】
また上述したようにテンポラリリストＴＬ１については、これを構成するエントリＥＴ１乃至ＥＴＮの最大数（すなわち、テンポラリリストＴＬ１に追加可能なエントリＥＴ１乃至ＥＴＮの最大数であり、以下、これを追加最大数と呼ぶ）が予め設定されている。従って図６に示すように、情報削除部１８は、情報追加部１６によりテンポラリリストＴＬ１にエントリＥＴＸが追加される毎に、当該テンポラリリストＴＬ１に追加されたエントリＥＴ１乃至ＥＴＮ及びＥＴＸの総数（以下、これを追加総数と呼ぶ）を検出する。そして情報削除部１８は、追加総数が追加最大数ＭＲＥよりも少ないと、テンポラリリストＴＬ１に追加された全てのエントリＥＴ１乃至ＥＴＮ及びＥＴＸをそのままにする。
【００３３】
これに対して情報削除部１８は、追加総数が追加最大数ＭＲＥを１上回ると、テンポラリリストＴＬ１に対し時間的に最も先に追加されていた１つのエントリＥＴＮ（すなわち、後からの他のエントリＥＴ１乃至ＥＴ（Ｎ−１）の追加によって並びの順番が後尾側に順次繰り下がり、最終的に後尾になった１つのエントリＥＴＮである）内の前方リンク情報ＦＬ及び後方リンク情報ＢＬを消去する（すなわち、他の何れのエントリＥＴ１乃至ＥＴ（Ｎ−１）及びＥＴＸのエントリ開始位置や並びの後尾も示さないようにする）。
【００３４】
これにより情報削除部１８は、テンポラリリストＴＬ１内の複数のエントリＥＴ１乃至ＥＴ（Ｎ−１）及びＥＴＸから、時間的に最も先に追加された１つのエントリＥＴＮの連結を外し（すなわち、時間的に最も先に追加された１つのエントリＥＴＮを他のエントリＥＴ１乃至ＥＴ（Ｎ−１）及びＥＴＸの並びから外し）、当該時間的に最も先に追加された１つのエントリＥＴＮをテンポラリリストＴＬ１から削除する。このようにして情報削除部１８は、テンポラリリストＴＬ１内のエントリＥＴ１乃至ＥＴ（Ｎ−１）及びＥＴＸの追加総数を追加最大数ＭＲＥ以内に収めるときには、時間的に最も先に追加されていたエントリＥＴＮを削除する。従って情報削除部１８は、データ記録部１３に記録されて間もないアルバムデータに対応するエントリＥＴ１乃至ＥＴ（Ｎ−１）ほどテンポラリリストＴＬ１内に長く残すように（すなわち、かかるアルバムデータの登録が維持されるように）している。
【００３５】
因みに情報削除部１８は、このときテンポラリリストＴＬ１から削除した１つのエントリＥＴＮよりも１つ前のエントリＥＴ（Ｎ−１）（すなわち、テンポラリリストＴＬ１内で先頭から追加最大数ＭＲＥ番目のエントリＥＴ（Ｎ−１））の後方リンク情報ＢＬの内容を、テンポラリリストＴＬ１内で並びの後尾であることを示すように変更する。これにより情報削除部１８は、テンポラリリストＴＬ１内で追加最大数ＭＲＥのエントリＥＴ１乃至ＥＴ（Ｎ−１）及びＥＴＸの先頭から後尾までの並びを改めて規定する。
【００３６】
ところで表示リスト生成部１９は、操作部１５に対するユーザ操作に応じてテンポラリリストＴＬ１の提示を要求するリスト提示要求が入力されると、リスト記録部１７からテンポラリリストＴＬ１を読み出す。また図７に示すように、表示リスト生成部１９は、先頭のエントリＥＴ１の音楽情報ＭＩから後尾のエントリＥＴＮの音楽情報ＭＩまでにそれぞれ含まれるアーティスト名を順番に取り出す。そして表示リスト生成部１９は、テンポラリリストＴＬ１内のエントリＥＴ１乃至ＥＴＮの並びの順番に対応させて、これら複数のアーティスト名をリスト化する（すなわち、並べる）。
【００３７】
この状態で表示リスト生成部１９は、リスト化した複数のアーティスト名の中に、重複するもの（すなわち、同一のもの）が存在するかどうかを確認する。その結果、表示リスト生成部１９は、複数のアーティスト名の中に重複するアーティスト名（例えば、図中の「アーティスト１」）が存在するときには、その重複しているアーティスト名のうち、並びの先頭に最も近い１つのアーティスト名のみを残し、残りの同一のアーティスト名については削除する。このようにして表示リスト生成部１９は、複数のアーティスト名のリスト（以下、これをアーティスト名リストと呼ぶ）ＡＲＬを得る。
【００３８】
これに対して表示リスト生成部１９は、リスト化した複数のアーティスト名の中に重複するものが存在しないときには、当該リスト化した複数のアーティスト名をそのままアーティスト名リストＡＲＬにする。そして表示リスト生成部１９は、このようにアーティスト名リストＡＲＬを得ると、当該アーティスト名リストＡＲＬを示し、アーティスト名を任意に選択可能な選択画面データ（以下、これをアーティスト選択画面データと呼ぶ）を生成する。
【００３９】
また図８（Ａ）及び（Ｂ）に示すように、表示リスト生成部１９は、このとき先頭のエントリＥＴ１の音楽情報ＭＩから後尾のエントリＥＴＮの音楽情報ＭＩまでにそれぞれ含まれるアルバムタイトルも順番に取り出す。そして表示リスト生成部１９は、テンポラリリストＴＬ１内のエントリＥＴ１乃至ＥＴＮの並びの順番に対応させて、これら複数のアルバムタイトルもリスト化する。さらに表示リスト生成部１９は、リスト化した複数のアルバムタイトルを、重複したものを削除する前のリスト化した複数のアーティスト名と対比させ、個々のアルバムタイトルに対応するアーティスト名を確認する（図８（Ａ））。
【００４０】
これにより表示リスト生成部１９は、その確認結果をもとに、アーティスト名毎に、対応するアルバムタイトルをまとめるようにして、アーティスト名毎のアルバムタイトルのリスト（以下、これをアルバムタイトルリストと呼ぶ）ＡＢＬ１乃至ＡＢＬ３を生成する。因みに表示リスト生成部１９は、１つのアーティスト名に対応するアルバムタイトルが複数存在するときには、当該複数のアルバムタイトルを、これらをまとめる前の並びの前後関係を維持してアルバムタイトルリストＡＢＬ１を生成する（図８（Ｂ））。そして表示リスト生成部１９は、このようにアーティスト名毎のアルバムタイトルリストＡＢＬ１乃至ＡＢＬ３を得ると、当該アーティスト名毎のアルバムタイトルリストＡＢＬ１乃至ＡＢＬ３を示し、アルバムタイトルを任意に選択可能な選択画面データ（以下、これをアルバム選択画面データと呼ぶ）を生成する。
【００４１】
さらに図９に示すように、表示リスト生成部１９は、個々のエントリＥＴ１乃至ＥＴＮの音楽情報ＭＩからそれぞれ１つのアルバムに収録された複数のトラックデータに対応する複数のトラックタイトルを取り出す。この場合、１つのアルバムに収録された複数のトラックデータについては予め再生順序が規定されており、その再生順序を示す情報も音楽情報ＭＩに含まれている。従って表示リスト生成部１９は、これらアルバム毎の複数のトラックタイトルを、予め規定されているトラックデータの再生順序に対応させてリスト化する。そして表示リスト生成部１９は、このようにアルバム毎の複数のトラックタイトルのリスト（以下、これをトラックリストと呼ぶ）ＴＲＬを得ると、当該アルバム毎のトラックリストＴＲＬを示す複数の提示画面データ（以下、これをトラック提示画面データと呼ぶ）を生成する。
【００４２】
そして図１０に示すように、表示リスト生成部１９は、これらアーティスト選択画面データ、アルバム選択画面データ及びトラック提示画面データを生成すると、リスト提示要求の入力に応じてアーティスト選択画面データを表示部２０に送出する。これにより表示リスト生成部１９は、表示部２０の表示画面にアーティスト選択画面データに基づくアーティスト選択画面２５を表示する。
【００４３】
この場合、アーティスト選択画面２５には、画面上側から画面下側に渡ってアーティスト名リストＡＲＬの先頭から後尾までの複数のアーティスト名が並べて配置されている。ただし表示部２０は、例えば一度に数行程度を表示可能な表示画面を有している。このため表示リスト生成部１９は、アーティスト選択画面２５内に配置されたアーティスト名の行数が、表示部２０の表示画面において１度に表示可能な行数（以下、これを表示可能行数と呼ぶ）以下であると、当該表示部２０の表示画面においてアーティスト選択画面２５内の全てのアーティスト名を一度に表示する。これにより表示リスト生成部１９は、アーティスト選択画面２５により、テンポラリリストＴＬ１に登録されているアルバムデータに対応するアーティスト名を提示して確認させることができる。
【００４４】
これに対して表示リスト生成部１９は、アーティスト選択画面２５内に配置されたアーティスト名の行数が表示可能行数よりも多いと、表示部２０の表示画面に表示初期状態としてアーティスト選択画面２５内のアーティスト名を先頭から（すなわち、画面上側から）表示可能行数分だけ表示する。これにより表示リスト生成部１９は、テンポラリリストＴＬ１に対し時間的に後に登録したアルバムデータほど、対応するアーティスト名を先に提示して確認させることができる。
【００４５】
また表示リスト生成部１９は、表示部２０においてアーティスト選択画面２５上にカーソルＣＵを重ねて表示させており、操作部１５に対するユーザ操作に応じてアーティスト選択画面２５上でカーソルＣＵを画面上下方向に移動させ、その移動に応じて表示画面内でアーティスト選択画面２５のアーティスト名をスクロールさせる。これにより表示リスト生成部１９は、アーティスト選択画面２５内に表示可能行数よりも多いアーティスト名が配置されていても、これらを提示して確認させることができる。
【００４６】
そして表示リスト生成部１９は、操作部１５に対するユーザ操作に応じてアーティスト選択画面２５上でカーソルＣＵを移動させ、１つのアーティスト名が任意に選択されると、当該選択されたアーティスト名に対応する１つのアルバム選択画面データ（すなわち、選択されたアーティスト名に対応するアルバムタイトルリストＡＢＬ１を示すアルバム選択画面データ）を表示部２０に送出する。これにより表示リスト生成部１９は、表示部２０の表示画面に対しアーティスト選択画面２５に替えてアルバム選択画面データに基づくアルバム選択画面２６を表示する。
【００４７】
この場合、アルバム選択画面２６には、画面上側から画面下側に渡ってアルバムタイトルリストＡＢＬ１の先頭から後尾までの複数のアルバムタイトルが並べて配置されている。そして表示リスト生成部１９は、上述と同様にアルバム選択画面２６内に配置されたアルバムタイトルの行数が表示可能行数以下であると、表示部２０の表示画面においてアルバム選択画面２６内の全てのアルバムタイトルを一度に表示する。これにより表示リスト生成部１９は、アルバム選択画面２６により、テンポラリリストＴＬ１に登録されているアルバムデータに対応するアルバムタイトルを提示して確認させることができる。
【００４８】
これに対して表示リスト生成部１９は、アルバム選択画面２６内に配置されたアルバムタイトルの行数が表示可能行数よりも多いと、表示部２０の表示画面に表示初期状態としてアルバム選択画面２６内のアルバムタイトルを先頭から（すなわち、画面上側から）表示可能行数分だけ表示する。これにより表示リスト生成部１９は、テンポラリリストＴＬ１に対し時間的に後に登録したアルバムデータほど、対応するアルバムタイトルを先に提示して確認させることができる。
【００４９】
また表示リスト生成部１９は、操作部１５に対するユーザ操作に応じてアルバム選択画面２６上でカーソルＣＵを画面上下方向に移動させると、その移動に応じて表示部２０の表示画面に表示するアルバム選択画面２６内のアルバムタイトルをスクロールさせる。これにより表示リスト生成部１９は、アルバム選択画面２６内に表示可能行数よりも多いアルバムタイトルが配置されていても、これらを提示して確認させることができる。
【００５０】
そして表示リスト生成部１９は、操作部１５に対するユーザ操作に応じてアルバム選択画面２６上でカーソルＣＵを移動させ、１つのアルバムタイトルが任意に選択されると、当該選択されたアルバムタイトルに対応する１つのトラック提示画面データ（すなわち、選択されたアルバムタイトルに対応するトラックリストＴＲＬを示すトラック提示画面データ）を表示部２０に送出する。これにより表示リスト生成部１９は、表示部２０の表示画面に対しアルバム選択画面２６に替えてトラック提示画面データに基づくトラック提示画面２７を表示する。
【００５１】
この場合、トラック提示画面２７には、画面上側から画面下側に渡ってトラックリストＴＲＬの先頭から後尾までの複数のトラックタイトルが並べて配置されている。そして表示リスト生成部１９は、述と同様にトラック提示画面２７内に配置されたトラックタイトルの行数が表示可能行数以下であると、表示部２０の表示画面においてトラック提示画面２７内の全てのトラックタイトルを一度に表示する。これにより表示リスト生成部１９は、トラック提示画面２７により、テンポラリリストＴＬ１に登録されているアルバムデータ内の複数のトラックデータに対応する複数のトラックタイトルを提示して確認させることができる。
【００５２】
これに対して表示リスト生成部１９は、トラック提示画面２７内に配置されたトラックタイトルの行数が表示可能行数よりも多いと、表示部２０の表示画面に表示初期状態としてトラック提示画面２７内のトラックタイトルを先頭から（すなわち、画面上側から）表示可能行数分だけ表示する。そして表示リスト生成部１９は、操作部１５に対するユーザ操作に応じてトラック提示画面２７上でカーソルＣＵを画面上下方向に移動させると、その移動に応じて表示部２０の表示画面に表示するトラック提示画面２７内のトラックタイトルをスクロールさせる。これにより表示リスト生成部１９は、トラック提示画面２７内に表示可能行数よりも多いトラックタイトルが配置されていても、これらを提示して確認させることができる。
【００５３】
このようにして表示リスト生成部１９は、これらアーティスト選択画面２５、アルバム選択画面２６及びトラック提示画面２７により、テンポラリリストＴＬ１に登録されている複数のアルバムデータの中から所望のアルバムデータを選択させることができる。
【００５４】
そして表示リスト生成部１９は、表示部２０においてトラック提示画面２７を表示した状態で、操作部１５に対するユーザ操作に応じて画面切替命令が入力されると、予め保持している再生画面データに対し、ユーザにより選択されたアルバムタイトルを示すテキストデータを合成して表示部２０に送出する。これにより表示リスト生成部１９は、表示部２０の表示画面に対しトラック提示画面２７に替えて再生画面データに基づく図１１に示すような再生画面２８を表示する。
【００５５】
この場合、再生画面２８には、ユーザにより選択されたアルバムタイトルＡＢＴが表示されている。また再生画面２８には、再生命令を入力するため再生命令入力部ＰＬと、例えばアーティスト選択画面２５に表示を戻すように切り替える表示切替命令を入力するための切替命令入力部ＥＸとが設けられている。さらに再生画面２８上には、カーソルＣＵが重ねて表示されている。そして表示リスト生成部１９は、操作部１５に対するユーザ操作に応じて、再生画面２８上でカーソルＣＵを画面左右方向に移動させて、再生命令入力部ＰＬ及び切替命令入力部ＥＸの何れか一方を任意に指示させ得るようになされている。
【００５６】
実際に表示部２０は、操作部１５に対するユーザ操作に応じて再生画面２８上でカーソルＣＵにより切替命令入力部ＥＸが指示され、表示切替命令が入力されると、これに応じてアーティスト選択画面データを表示部２０に送出する。これにより表示リスト生成部１９は、表示部２０の表示画面に対し再生画面２８をアーティスト選択画面２５に切り替えて表示する。このようにして表示リスト生成部１９は、再びアーティスト選択画面２５、アルバム選択画面２６及びトラック提示画面２７により、テンポラリリストＴＬ１に登録されている複数のアルバムデータ中から所望のアルバムデータを選択させ直すことができる。
【００５７】
また表示リスト生成部１９は、操作部１５に対するユーザ操作に応じて再生画面２８上でカーソルＣＵにより再生命令入力部ＰＬが指示され、再生命令が入力されると、このときユーザにより選択されていたアルバムタイトルを再生部１４に通知する。この場合、再生部１４は、表示リスト生成部１９からユーザにより選択されたアルバムタイトルが通知されると、これに応じてリスト記録部１７からテンポラリリストＴＬ１を読み出す。そして再生部１４は、テンポラリリストＴＬ１内で、ユーザにより選択されたアルバムタイトルに対応するエントリＥＴ１乃至ＥＴＮを判別する。
【００５８】
これにより再生部１４は、その判別したエントリＥＴ１乃至ＥＴＮの音楽情報ＭＩに基づき（すなわち、音楽情報ＭＩに含まれるトラック識別情報や再生順序を示す情報に基づき）、ユーザにより選択されたアルバムタイトルに対応するアルバムデータを上述と同様にデータ記録部１３から読み出して再生する。このようにして再生部１４は、テンポラリリストＴＬ１に登録された複数のアルバムデータの中から、ユーザにより選択された所望のアルバムデータを再生して順次トラックとして聴かせることができる。
【００５９】
ところで情報追加部１６は、上述したようにユーザによりジャンル名、アーティスト名、アルバムタイトル及びトラックタイトルを検索条件として検索されたアルバムデータや、テンポラリリストＴＬ１を利用して選択されたアルバムデータが再生部１４により複数のトラックデータとして順次再生されると、当該再生されたトラックデータ（以下、これを再生トラックデータと呼ぶ）に関連するトラック関連情報をデータ記録部１３から読み出す。また情報追加部１６は、トラック関連情報からアルバム識別情報（すなわち、再生トラックデータが収録されているアルバムを個別に識別可能なアルバム識別情報）を取り出す。
【００６０】
そして情報追加部１６は、テンポラリリストＴＬ１内の複数のエントリＥＴ１乃至ＥＴＮの中に、再生トラックデータに対応するアルバム識別情報と同一のアルバム識別情報を音楽情報ＭＩの一部として格納しているものが存在するかどうかを判別する。その結果、情報追加部１６は、テンポラリリストＴＬ１内の複数のエントリＥＴ１乃至ＥＴＮの中に、再生トラックデータに対応するアルバム識別情報と同一のアルバム識別情報を格納しているものが存在しないと、当該再生トラックデータに対応するアルバム関連情報をデータ記録部１３から読み出す。
【００６１】
また情報追加部１６は、再生トラックデータが含まれるアルバムデータをテンポラリリストＴＬ１に登録するための空のエントリＥＴ１乃至ＥＴＮを１つ用意する。そして情報追加部１６は、再生トラックデータが含まれるアルバムデータの記録日時ＷＴをエントリＥＴ１乃至ＥＴＮの記録日時格納部ＷＴＰに格納する。また情報追加部１６は、このとき再生トラックデータの例えば再生の終了した日時を再生日時ＲＴとしてエントリＥＴ１乃至ＥＴＮの再生日時格納部ＲＴＰに格納する。さらに情報追加部１６は、再生トラックデータに対応するアルバム関連情報に基づいて音楽情報ＭＩを生成し、当該生成した音楽情報ＭＩをエントリＥＴ１乃至ＥＴＮの音楽情報格納部ＭＩＰに格納する。
【００６２】
このようにして情報追加部１６は、再生トラックデータが含まれるアルバムデータをテンポラリリストＴＬ１に登録するためのエントリＥＴ１乃至ＥＴＮを生成する。そして情報追加部１６は、かかるエントリＥＴ１乃至ＥＴＮをリスト記録部１７に送出して記録し、上述したアルバムデータの記録時と同様にテンポラリリストＴＬ１の先頭に追加する。因みに情報削除部１８は、このときも上述したアルバムデータの記録時と同様に、テンポラリリストＴＬ１内でエントリＥＴ１乃至ＥＴＮの追加総数が追加最大数ＭＲＥを１上回るかどうかを検出する。そして情報削除部１８は、追加総数が追加最大数ＭＲＥを上回ると、テンポラリリストＴＬ１内で時間的に最も先に追加されていた１つのエントリＥＴ１乃至ＥＴＮを削除する。
【００６３】
これに対して図１２に示すように、情報追加部１６は、テンポラリリストＴＬ１内の複数のエントリＥＴ１乃至ＥＴＮの中に、再生トラックデータに対応するアルバム識別情報と同一のアルバム識別情報を格納している１つのエントリＥＴ３が存在すると、そのエントリＥＴ３の再生日時格納部ＲＴＰに対し、再生トラックデータの再生が終了した日時を再生日時ＲＴとして格納する。そして情報追加部１６は、かかるエントリＥＴ３を再追加対象とし、当該エントリＥＴ３内の前方リンク情報ＦＬ及び後方リンク情報ＢＬを消去する（すなわち、１つ前及び１つ後のエントリＥＴ２及びＥＴ４のエントリ開始位置を示さないようにする）。これにより情報追加部１６は、テンポラリリストＴＬ１内の複数のエントリＥＴ１乃至ＥＴ（Ｎ−１）から、再追加対象のエントリＥＴ３の連結を一旦外す（すなわち、再追加対象のエントリＥＴ３を他のエントリＥＴ１及びＥＴ２並びにＥＴ４乃至ＥＴＮの並びから一旦外す）。
【００６４】
また情報追加部１６は、テンポラリリストＴＬ１内で再追加対象のエントリＥＴ３が並びの先頭であることを示す前方リンク情報ＦＬを当該再追加対象のエントリＥＴ３の前方リンク情報格納部ＦＬＰに格納する。さらに情報追加部１６は、このときまで並びの先頭であったエントリＥＴ１のエントリ開始位置を示す後方リンク情報ＢＬを再追加対象のエントリＥＴ３の後方リンク情報格納部ＢＬＰに格納する。さらに情報追加部１６は、このときまで並びの先頭であったエントリＥＴ１の前方リンク情報ＦＬの内容を再追加対象のエントリＥＴ３のエントリ開始位置を示すように変更する。これにより情報追加部１６は、テンポラリリストＴＬ１において再追加対象のエントリＥＴ３をテンポラリリストＴＬ１の先頭に追加すると共に、このときまで並びの先頭であったエントリＥＴ１から、再追加対象のエントリＥＴ３よりも１つ前であったエントリＥＴ２までの順番を後尾側に順次１つ繰り下げる。
【００６５】
さらに情報追加部１６は、再追加対象のエントリＥＴ３を並びから外すまで当該再追加対象のエントリＥＴ３よりも１つ前であったエントリＥＴ２の後方リンク情報ＢＬの内容を、再追加対象のエントリＥＴ３を並びから外すまで当該再追加対象のエントリＥＴ３よりも１つ後であったエントリＥＴ４のエントリ開始位置を示すように変更する。さらにまた情報追加部１６は、再追加対象のエントリＥＴ３を並びから外すまで当該再追加対象のエントリＥＴ３よりも１つ後であったエントリＥＴ４の前方リンク情報ＦＬの内容を、再追加対象のエントリＥＴ３を並びから外すまで当該再追加対象のエントリＥＴ３よりも１つ前であったエントリＥＴ２のエントリ開始位置を示すように変更する。このようにして情報追加部１６は、テンポラリリストＴＬ１の並びから再追加対象のエントリＥＴ３を一旦外して追加し直すと、これに応じて当該再追加対象のエントリＥＴ３の抜けを詰めるように他のエントリＥＴ１及びＥＴ２並びにＥＴ４乃至ＥＴＮの並びを規定し直す。
【００６６】
さらにまた情報追加部１６は、テンポラリリストＴＬ１内の複数のエントリＥＴ１乃至ＥＴＮの中に、再生トラックデータに対応するアルバム識別情報と同一のアルバム識別情報を格納している１つのエントリＥＴ１が存在しても、そのエントリＥＴ１がテンポラリリストＴＬ１の先頭であると、テンポラリリストＴＬ１内の全てのエントリＥＴ１乃至ＥＴＮの並びを何ら変更しないようにする。ただし情報追加部１６は、再生トラックデータに対応するアルバム識別情報と同一のアルバム識別情報を格納している１つのエントリＥＴ１については、再生日時格納部ＲＴＰに対し、再生トラックデータの再生が終了した日時を再生日時ＲＴとして格納する。
【００６７】
このようにして情報追加部１６は、再生部１４によりトラックデータが再生される毎に、当該再生されたトラックデータに対応するエントリＥＴ３をテンポラリリストＴＬ１の先頭に追加するようにして、当該テンポラリリストＴＬ１の内容を更新する。よって情報追加部１６は、テンポラリリストＴＬ１に新たなエントリを追加して追加総数が追加最大数ＭＲＥを上回っても、再生部１４により再生されて間もないトラックデータに対応するエントリＥＴ１乃至ＥＴ（Ｎ−１）ほどテンポラリリストＴＬ１内に長く残すように（すなわち、かかるトラックデータが含まれるアルバムデータの登録が維持されるように）している。
【００６８】
ところで再生部１４は、ユーザに対し上述したようにテンポラリリストＴＬ１を提示しなくても、操作部１５に対するユーザ操作に応じて当該テンポラリリストＴＬ１を利用したアルバムデータの再生命令が入力されると、これに応じてリスト記録部１７からテンポラリリストＴＬ１を読み出す。また再生部１４は、テンポラリリストＴＬ１内で、先頭のエントリＥＴ１から音楽情報ＭＩを取り出す。そして再生部１４は、その音楽情報ＭＩ（すなわち、音楽情報ＭＩに含まれるトラック識別情報や再生順序を示す情報）に基づき、先頭のエントリＥＴ１により登録されたアルバムデータを上述と同様にデータ記録部１３から読み出して再生する。
【００６９】
また再生部１４は、先頭のエントリＥＴ１により登録されたアルバムデータの再生が終了すると、引き続きテンポラリリストＴＬ１内で、先頭から２番目のエントリＥＴ２から音楽情報ＭＩを取り出す。そして再生部１４は、その音楽情報ＭＩ（すなわち、音楽情報ＭＩに含まれるトラック識別情報や再生順序を示す情報）に基づき、先頭から２番目のエントリＥＴ２により登録されたアルバムデータをデータ記録部１３から読み出して再生する。
【００７０】
このようにして再生部１４は、テンポラリリストＴＬ１内の複数のエントリＥＴ１乃至ＥＴＮを先頭から順番に用いて順次アルバムデータを再生することもできる。すなわち、携帯型再生装置１０では、テンポラリリストＴＬ１を、良く聴かれるアルバムのアルバムデータや記録して間もないアルバムデータを登録しておき、これらの中からユーザに再生対象のアルバムデータを選択させるためだけに用いるのではなく、複数のアルバムデータを登録して、これらを規定した再生順序で再生するための、いわゆるプレイリストとしても用いることができる。これにより携帯型再生装置１０は、かかるテンポラリリストＴＬ１を用いて、時間的に後に記録及び又は再生したアルバムデータほど（すなわち、記録日時ＲＴや前回の再生日時ＷＴから現在時刻までの経過時間が短いアルバムデータほど）、先に再生するようにして、データ記録部１３に記録して間もないアルバムデータや当該データ記録部１３から再生して間もないアルバムデータを複数のトラックとして連続的に聴かせることができる。
【００７１】
ところでテンポラリリストＴＬ１では、アルバムデータの記録や再生に応じて当該アルバムデータに対応するエントリＥＴ１乃至ＥＴＮが先頭に追加される。このためデータ記録部１３に記録されても再生されないアルバムデータに対応するエントリＥＴ１乃至ＥＴＮについては、その並びの順番が後尾側に繰り下がり、テンポラリリストＴＬ１の先頭に他のエントリＥＴ１乃至ＥＴＮが追加されるほど、最終的には並びの後尾になる。
【００７２】
またアルバムデータの記録に応じてテンポラリリストＴＬ１の先頭に追加されたエントリＥＴ１乃至ＥＴＮについては、記録日時ＷＴから現在時刻までの経過時間が、時間の経過と共に長くなる。ただし良く再生されるアルバムデータに対応するエントリＥＴ１乃至ＥＴＮについては、当該アルバムデータの再生のたびに再生日時ＲＴが更新されるため、当該再生日時ＲＴから現在時刻までの経過時間が時間の経過にかかわらずに、当該再生のたびに短くなる。しかしながら１度は再生されても、その後の長い間に再生されないアルバムデータについては、再生日時ＲＴが更新されないため、当該再生日時ＲＴから現在時刻までの経過時間も、時間の経過と共に長くなる。
【００７３】
そして長い間再生されないアルバムデータに対応するエントリＥＴ１乃至ＥＴＮについては、テンポラリリストＴＬ１に新たなエントリＥＴ１乃至ＥＴＮが追加される毎に、並びの順番が繰り下がる。このためテンポラリリストＴＬ１では、後尾のエントリＥＴ１乃至ＥＴＮほど、記録日時ＷＴや再生日時ＲＴから現在時刻までの経過時間が長くなる。
【００７４】
従って情報削除部１８は、内部にタイマを有しており、かかるタイマにより現在時刻を計時している。そして図１３に示すように、情報削除部１８は、携帯型再生装置１０に対する電源投入時、リスト記録部１７から、テンポラリリストＴＬ１内の後尾のエントリＥＴＮから先頭のエントリＥＴ１までを順番に読み出す。また情報削除部１８は、このようにリスト記録部１７から１つのエントリＥＴＮ乃至ＥＴ１を読み出す毎に、当該読み出したエントリＥＴＮ乃至ＥＴ１に格納されている記録日時ＷＴと、タイマにより計時している現在時刻とを比較する。これにより情報削除部１８は、エントリＥＴＮ乃至ＥＴ１内の記録日時ＷＴが現在時刻より例えば一週間以上前であるかどうかを判別する。その結果、情報削除部１８は、エントリＥＴ（Ｎ−１）乃至ＥＴ１内の記録日時ＷＴが現在時刻より過去一週間以内であると、そのエントリＥＴ（Ｎ−１）乃至ＥＴ１を削除しないようにする。
【００７５】
しかしながら情報削除部１８は、エントリＥＴＮ内の記録日時ＷＴが現在時刻より一週間以上前であると、そのエントリＥＴＮを、削除するかどうかを引き続き判別する削除判別対象にする。そして情報削除部１８は、削除判別対象のエントリＥＴＮに格納されている再生日時ＲＴと、タイマにより計時している現在時刻とを比較する。これにより情報削除部１８は、削除判別対象のエントリＥＴＮに格納されている再生日時ＲＴが現在時刻より例えば一週間以上前であるかどうかを判別する。その結果、情報削除部１８は、削除判別対象のエントリＥＴＮ内の再生日時ＲＴが現在時刻より過去一週間以内であると、当該エントリＥＴＮを削除判別対象から除外して削除しないようにする。
【００７６】
これに対して情報削除部１８は、削除判別対象のエントリＥＴＮ内の再生日時ＲＴが現在時刻より一週間以上前であると、当該エントリＥＴＮを削除対象にする。そして情報削除部１８は、削除対象のエントリＥＴＮにおいて前方リンク情報ＦＬ及び後方リンク情報ＢＬを消去する（すなわち、他の何れのエントリＥＴ１乃至ＥＴ（Ｎ−１）のエントリ開始位置や並びの後尾も示さないようにする）。これにより情報削除部１８は、テンポラリリストＴＬ１内の複数のエントリＥＴ１乃至ＥＴＮから、削除対象のエントリＥＴＮの連結を外し（すなわち、削除対象のエントリＥＴＮを他のエントリＥＴ１乃至ＥＴ（Ｎ−１）の並びから外し）、当該削除対象のエントリＥＴＮをテンポラリリストＴＬ１から削除する。
【００７７】
因みに情報削除部１８は、このときテンポラリリストＴＬ１から削除したエントリＥＴＮよりも１つ前のエントリＥＴ（Ｎ−１）において後方リンク情報ＢＬの内容を、テンポラリリストＴＬ１内で並びの後尾であることを示すように変更する。これにより情報削除部１８は、テンポラリリストＴＬ１内で後尾のエントリＥＴＮを改めて規定し直す。このようにして情報削除部１８は、データ記録部１３に記録されてもほとんど再生されないアルバムデータについては、テンポラリリストＴＬ１から対応するエントリＥＴＮを削除して登録を取り消すようにしている。
【００７８】
次いで、図１４に示すフローチャートを用いて、上述したアルバムデータの記録時にテンポラリリストＴＬ１の内容を更新する第１の記録時リスト更新処理手順ＲＴ１について説明する。すなわち、情報追加部１６は、データ記録部１３にアルバムデータが記録されると、図１４に示す第１の記録時リスト更新処理手順ＲＴ１を開始する。そして情報追加部１６は、かかる第１の記録時リスト更新処理手順ＲＴ１を開始すると、ステップＳＰ１においてデータ記録部１３に記録されたアルバムデータの記録日時ＥＴと、当該アルバムデータに対応する音楽情報ＭＩとを格納したエントリＥＴ１乃至ＥＴＮを生成して、次のステップＳＰ２に移る。
【００７９】
ステップＳＰ２において情報追加部１６は、リスト記録部１７にエントリＥＴ１乃至ＥＴＮを記録するようにして当該エントリＥＴ１乃至ＥＴＮをテンポラリリストＴＬ１の先頭に追加して、次のステップＳＰ３に移る。ステップＳＰ３において情報削除部１８は、テンポラリリストＴＬ１内のエントリＥＴ１乃至ＥＴＮの追加総数が追加最大数ＭＲＥ以下であるか否かを判別する。このステップＳＰ３において肯定結果が得られると、このことは例えばデータ記録部１３に記録したアルバムデータの追加総数が、未だ追加最大数ＭＲＥよりも少ないこと、又はここしばらく新たなアルバムデータの記録や再生が行われていないことを表している。従って情報削除部１８は、かかる肯定結果を得ると、次のステップＳＰ４に移り、第１の記録時リスト更新処理手順ＲＴ１を終了する。
【００８０】
これに対してステップＳＰ３において否定結果が得られると、このことは例えばデータ記録部１３に記録したアルバムデータの追加総数が追加最大数ＭＲＥを上回っていること、又はここしばらく新たなアルバムデータの記録や再生が頻繁に行われていることを表している。従って情報削除部１８は、かかる否定結果を得ると、ステップＳＰ５に移る。そしてステップＳＰ５において情報削除部１８は、テンポラリリストＴＬ１において最も先に追加されたエントリＥＴＮを並びから外して削除すると共に、当該テンポラリリストＴＬ１内の残りのエントリＥＴ１乃至ＥＴ（Ｎ−１）の並びを規定し直して、次のステップＳＰ４に移る。これにより情報削除部１８は、第１の記録時リスト更新処理手順ＲＴ１を終了する。
【００８１】
次いで、図１５に示すフローチャートを用いて、上述したアルバムデータの再生時にテンポラリリストＴＬ１の内容を更新する第１の再生時リスト更新処理手順ＲＴ２について説明する。すなわち情報追加部１６は、再生部１４によりデータ記録部１３からアルバムデータ内の１つのトラックデータが再生されると、図１５に示す第１の再生時リスト更新処理手順ＲＴ２を開始する。そして情報追加部１６は、かかる第１の再生時リスト更新処理手順ＲＴ２を開始すると、ステップＳＰ１１においてテンポラリリストＴＬ１に対し再生トラックデータがアルバムデータとして未登録であるか否かを判別する。
【００８２】
このステップＳＰ１１において肯定結果が得られると、このことは以前、再生トラックデータがアルバムデータとして、データ記録部１３への記録時にテンポラリリストＴＬ１に対して登録されていたが、その後、再生トラックデータを含むアルバムデータがほとんど再生されなかったためにテンポラリリストＴＬ１への登録が取り消されたことを表している。従って情報追加部１６は、かかる肯定結果を得ると、次のステップＳＰ１２に移る。
【００８３】
ステップＳＰ１２において情報追加部１６は、再生トラックデータに対応するアルバムデータの記録日時ＥＴと、当該再生トラックデータの再生日時ＲＴと、再生トラックデータを含むアルバムデータに対応する音楽情報ＭＩとを格納したエントリＥＴ１乃至ＥＴＮを生成して、次のステップＳＰ１３に移る。そしてステップＳＰ１３において情報追加部１６は、リスト記録部１７にエントリＥＴ１乃至ＥＴＮを記録するようにして当該エントリＥＴ１乃至ＥＴＮをテンポラリリストＴＬ１の先頭に追加して、次のステップＳＰ１４に移る。
【００８４】
ステップＳＰ１４において情報削除部１８は、テンポラリリストＴＬ１内のエントリＥＴ１乃至ＥＴＮの追加総数が追加最大数ＭＲＥ以下であるか否かを判別する。このステップＳＰ１４において肯定結果が得られると、このことは例えばデータ記録部１３に記録しているアルバムデータの追加総数が、未だ追加最大数ＭＲＥよりも少ないこと、又はここしばらく新たなアルバムデータの記録や再生が行われていないことを表している。従って情報削除部１８は、かかる肯定結果を得ると、次のステップＳＰ１５に移り、第１の再生時リスト更新処理手順ＲＴ２を終了する。
【００８５】
これに対してステップＳＰ１４において否定結果が得られると、このことは例えばデータ記録部１３に記録したアルバムデータの追加総数が追加最大数ＭＲＥを上回っていること、又はここしばらく新たなアルバムデータの記録や再生が頻繁に行われていることを表している。従って情報削除部１８は、かかる否定結果を得ると、ステップＳＰ１６に移る。そしてステップＳＰ１６において情報削除部１８は、テンポラリリストＴＬ１において最も先に追加したエントリＥＴＮを並びから外して削除すると共に、当該テンポラリリストＴＬ１内の残りのエントリＥＴ１乃至ＥＴ（Ｎ−１）の並びを規定し直して、次のステップＳＰ１５に移る。これにより情報削除部１８は、第１の再生時リスト更新処理手順ＲＴ２を終了する。
【００８６】
またステップＳＰ１１において否定定結果が得られると、このことは例えば再生トラックデータがアルバムデータとして再生されているため、テンポラリリストＴＬ１に未だ登録されていることを表している。従って情報追加部１６は、かかる否定結果を得ると、ステップＳＰ１７に移る。ステップＳＰ１７において情報追加部１６は、再生トラックデータに対応するエントリＥＴ１乃至ＥＴＮに当該再生トラックデータの再生日時ＲＴを格納して、次のステップＳＰ１８に移る。
【００８７】
ステップＳＰ１８において情報追加部１６は、テンポラリリストＴＬ１の並びから、再生トラックデータに対応するエントリＥＴ１乃至ＥＴＮを一旦外して、次のステップＳＰ１９に移る。そしてステップＳＰ１９において情報追加部１６は、再生トラックデータに対応するエントリＥＴ１乃至ＥＴＮをテンポラリリストＴＬ１の先頭に再追加すると共に、当該テンポラリリストＴＬ１内のエントリＥＴ１乃至ＥＴＮの並びを規定し直して、次のステップＳＰ１５に移る。これにより情報追加部１６は、第１の再生時リスト更新処理手順ＲＴ２を終了する。
【００８８】
次いで、図１６に示すフローチャートを用いて、上述した電源投入時にテンポラリリストＴＬ１の内容を更新する第１の電源投入時リスト更新処理手順ＲＴ３について説明する。すなわち情報削除部１８は、携帯型再生装置１０に対する電源投入時に、リスト記録部１７から１つのエントリＥＴＮ乃至ＥＴ１を読み出すと、図１６に示す第１の電源投入時リスト更新処理手順ＲＴ３を開始する。情報削除部１８は、かかる第１の電源投入時リスト更新処理手順ＲＴ３を開始すると、ステップＳＰ２１においてエントリＥＴＮ乃至ＥＴ１内の記録日時ＷＴが現在時刻より一週間以上前であるか否かを判別する。このステップＳＰ２１において肯定結果が得られると、このことはエントリＥＴＮ乃至ＥＴ１により登録されているアルバムデータが、ここしばらく再生されてはいない可能性があることを表している。従って情報削除部１８は、かかる肯定結果を得ると、次のステップＳＰ２２に移る。
【００８９】
ステップＳＰ２２において情報削除部１８は、エントリＥＴＮ乃至ＥＴ１内の再生日時ＲＴが現在時刻より一週間以上前であるか否かを判別する。このステップＳＰ２２において肯定結果が得られると、このことはエントリＥＴＮ乃至ＥＴ１により登録されているアルバムデータが、ここしばらく全く再生されてはいないことを表している。従って情報削除部１８は、かかる肯定結果を得ると、次のステップＳＰ２３に移る。そしてステップＳＰ２３において情報削除部１８は、テンポラリリストＴＬ１においてエントリＥＴＮ乃至ＥＴ１を並びから外して削除すると共に、当該テンポラリリストＴＬ１内の残りのエントリＥＴ１乃至ＥＴＮの並びを規定し直して、次のステップＳＰ２４に移る。これにより情報削除部１８は、第１の電源投入時リスト更新処理手順ＲＴ３を終了する。
【００９０】
ところでステップＳＰ２１において否定結果が得られると、このことはエントリＥＴＮ乃至ＥＴ１により登録されているアルバムデータがデータ記録部１３に記録されて間もないため、再生される可能性が高いことを表している。従って情報削除部１８は、かかる否定結果を得ると、ステップＳＰ２４に移る。これにより情報削除部１８は、第１の電源投入時リスト更新処理手順ＲＴ３を終了する。
【００９１】
またステップＳＰ２２において否定結果が得られると、このことはエントリＥＴＮ乃至ＥＴ１により登録されているアルバムデータが、データ記録部１３に記録されてから、かなり時間が経っているものの、ユーザの好みに合っているために良く再生されていることを表している。従って情報削除部１８は、かかる否定結果を得ると、ステップＳＰ２４に移る。これにより情報削除部１８は、第１の電源投入時リスト更新処理手順ＲＴ３を終了する。
【００９２】
（２−２）第１の実施の形態の動作及び効果
以上の構成において、携帯型再生装置１０では、データ記録部１３にアルバムデータを記録すると、情報追加部１６が当該アルバムデータに対応する記録日時ＥＴ及び音楽情報ＭＩを格納したエントリＥＴ１乃至ＥＴＮを生成する。そして携帯型再生装置１０では、情報追加部１６が、そのエントリＥＴ１乃至ＥＴＮをテンポラリリストＴＬ１の先頭に追加してアルバムデータを登録する。
【００９３】
また携帯型再生装置１０では、再生部１４がデータ記録部１３からアルバムデータを再生したとき、情報追加部１６が当該アルバムデータを登録していないと、そのアルバムデータに対応する再生日時ＲＴ及び音楽情報ＭＩを格納したエントリＥＴ１乃至ＥＴＮを生成する。そして携帯型再生装置１０では、情報追加部１６が、エントリＥＴ１乃至ＥＴＮをテンポラリリストＴＬ１の先頭に追加してアルバムデータを登録する。さらに携帯型再生装置１０では、再生部１４がデータ記録部１３からアルバムデータを再生したとき、情報追加部１６がすでにアルバムデータを登録していると、そのアルバムデータに対応するエントリＥＴ１乃至ＥＴＮに再生日時ＲＴを格納してテンポラリリストＴＬ１の並びから一旦外す。そして携帯型再生装置１０では、情報追加部１６が、エントリＥＴ１乃至ＥＴＮをテンポラリリストＴＬ１の先頭に再追加する。
【００９４】
さらに携帯型再生装置１０では、テンポラリリストＴＬ１へのエントリＥＴ１乃至ＥＴＮの追加により当該テンポラリリストＴＬ１内のエントリＥＴ１乃至ＥＴＮの追加総数が追加最大数ＭＲＥを上回ると、最も先に追加したエントリＥＴＮを並びから外して削除する。さらにまた携帯型再生装置１０では、電源が投入されたとき、エントリＥＴ１乃至ＥＴＮに格納している記録日時ＷＴ及び再生日時ＲＴの両方が現在時刻より一週間以上前であると、テンポラリリストＴＬ１において当該エントリＥＴ１乃至ＥＴＮの並びを外して削除する。
【００９５】
従って携帯型再生装置１０は、テンポラリリストＴＬ１に対し、データ記録部１３に記録して間もないアルバムデータ及びデータ記録部１３から良く再生するアルバムデータのように、ユーザにより再生用として選択される可能性の比較的高いアルバムデータを登録することができる。また携帯型再生装置１０は、テンポラリリストＴＬ１にアルバムデータを登録しても、当該アルバムデータが再生されずにある程度時間が経過し、また再生回数が徐々に減る等してテンポラリリストＴＬ１における登録の順番が変化するような再生及び記録の履歴（すなわち、記録後及び再生後の時間経過や、テンポラリリストＴＬ１での登録の順番の変化である）に応じて、当該テンポラリリストＴＬ１から最も先に追加したエントリＥＴＮに対応するアルバムデータのように特定のアルバムデータの登録を取り消す。従って携帯型再生装置１０は、ユーザにより再生対象として選択される可能性の比較的高いアルバムデータが変化しても、当該ユーザにより再生対象として選択される可能性の比較的高いアルバムデータのみを登録しておくように、テンポラリリストＴＬ１の内容を更新することができる。
【００９６】
ここで、例えば据置型再生装置を使用するユーザについて考えると、普段は多数のＣＤを棚に収納していても、購入して間もないＣＤや好みの印象に合ったアルバムのＣＤについては、再生のたびに棚から取り出すのではなく、これらＣＤを良く再生する間は据置型再生装置のそばに置いておくことがある。すなわち、このようなユーザは、良く再生するＣＤほど常に手元に置いておき、容易に再生し得るようにしている。
【００９７】
そして本実施の形態による携帯型再生装置１０によれば、多数のアルバムデータを、棚に相当するデータ記録部１３に記録してはいるものの、購入して間もないＣＤに相当する、データ記録部１３に記録して間もないアルバムデータや、好みの印象に合ったアルバムのＣＤに相当する、データ記録部１３から良く再生するアルバムデータをテンポラリリストＴＬ１に登録している。すなわち、携帯型再生装置１０は、あたかも、再生する可能性の比較的高いＣＤを手元に置いておくように、再生する可能性の比較的高いアルバムデータをテンポラリリストＴＬ１にまとめて登録しておき、データ記録部１３に記録している多数のアルバムデータの中で、いちいち所望のアルバムデータを検索しなくても、そのテンポラリリストＴＬ１により所望のアルバムデータを容易に選択して再生し得るようにしている。そして携帯型再生装置１０によれば、データ記録部１３に対し新たにアルバムデータを記録した場合や、ユーザの好みが変化したときには、これに応じてテンポラリリストＴＬ１の内容を更新している。従って携帯型再生装置１０は、多数のアルバムデータを記録保持し得るものの、ユーザに対し使い勝手を格段的に向上させることができる。
【００９８】
以上の構成によれば、携帯型再生装置１０は、情報追加部１６により、データ記録部１３に対するアルバムデータの記録に応じて、当該アルバムデータに対応する音楽情報ＭＩを格納したエントリＥＴ１乃至ＥＴＮをテンポラリリストＴＬ１に追加し、またデータ記録部１３からのアルバムデータの再生に応じて当該アルバムデータに対応する音楽情報ＭＩを格納したエントリＥＴ１乃至ＥＴＮをテンポラリリストＴＬ１に追加し、さらに情報削除部１８により、アルバムデータの再生や記録の履歴に応じてテンポラリリストＴＬ１から特定のアルバムデータに対応するエントリＥＴ１乃至ＥＴＮを削除するようにした。これにより携帯型再生装置１０は、テンポラリリストＴＬ１を、ユーザにより選択される可能性の比較的高いアルバムデータの変化に応じて更新することができる。よって携帯型再生装置１０は、テンポラリリストＴＬ１により所望のアルバムデータを容易に選択させることができる。
【００９９】
また携帯型再生装置１０では、情報追加部１６が、データ記録部１３に対するアルバムデータの記録や当該データ記録部１３からのアルバムデータの再生に応じて、これらアルバムデータに対応するエントリＥＴ１乃至ＥＴＮをテンポラリリストＴＬ１の先頭に追加すると共に、当該テンポラリリストＴＬ１にすでに追加していた他のエントリＥＴ１乃至ＥＴＮの並びを後尾側に順次繰り下げるようにした。従って携帯型再生装置１０は、テンポラリリストＴＬ１において、データ記録部１３に記録して間もないアルバムデータや当該データ記録部１３から良く再生されるアルバムデータに対応するエントリＥＴ１乃至ＥＴＮほど先頭側の順番にし、データ記録部１３に記録してからの経過時間が長く、かつ当該データ記録部１３からあまり再生されないアルバムデータに対応するエントリＥＴ１乃至ＥＴＮほど後尾側の順番にすることができる。
【０１００】
その結果、携帯型再生装置１０は、テンポラリリストＴＬ１においてエントリＥＴ１乃至ＥＴＮの追加総数が追加最大数ＭＲＥを上回ったとき、複数のエントリＥＴ１乃至ＥＴＮに格納された記録日時ＷＴや再生日時ＲＴをわざわざ現在時刻と比較するような煩雑な処理を実行しなくても、単に時間的に最も先に追加した（すなわち、後尾の）エントリＥＴＮを削除することで、テンポラリリストＴＬ１から、データ記録部１３に記録してからの経過時間が長くかつ当該データ記録部１３からほとんど再生されないアルバムデータの登録を的確に取り消すことができる。
【０１０１】
これに加えて携帯型再生装置１０は、電源投入時に、テンポラリリストＴＬ１内の複数のエントリＥＴ１乃至ＥＴＮに格納された記録日時ＷＴ及び再生日時ＲＴを現在時刻と比較するようにして、記録日時ＷＴ及び再生日時ＲＴが現在時刻より一週間以上前のエントリＥＴＮを削除するようにした。従って携帯型再生装置１０は、テンポラリリストＴＬ１に登録した追加最大数ＭＲＥ以内のアルバムデータに中に、記録して間もないアルバムデータや良く再生されるアルバムデータが少なく、記録からの経過時間が長くかつほとんど再生されないアルバムデータが存在しても、当該記録からの経過時間が長くかつほとんど再生されないアルバムデータを無駄に登録したままにせずに、その登録を取り消すことができる。
【０１０２】
さらに携帯型再生装置１０は、テンポラリリストＴＬ１内の音楽情報ＭＩを用いてアーティスト名リストＡＲＬを生成し提示するようにした。従って携帯型再生装置１０は、テンポラリリストＴＬ１の内容を適宜更新して、登録するアルバムデータが変化しても、登録中のアルバムデータに対応するアーティスト名を的確に提示することができる。
【０１０３】
（３）第２の実施の形態
（３−１）第２の実施の形態による携帯型再生装置の構成
図２との対応部分に同一符号を付した図１７は、第２の実施の形態による携帯型再生装置４０の機能回路ブロックによる詳細なハードウェア構成を示し、再生部４１及び情報追加部４２の構成を除いて上述した第１の実施の形態による携帯型再生装置１０と同様に構成されている。再生部４１は、上述した第１の実施の形態による再生部１４（図２）と同様の処理を実行することに加えて、データ記録部１３に記録された多数のアルバムデータを例えば４種類の再生モードで再生し得るようになされている。
【０１０４】
この場合、再生モードとしては、データ記録部１３に記録されている全てのアルバムデータを、対応するアーティスト名の綴りのアルファベット順等に準じて順番に再生する通常再生モードがある。また再生モードとしては、ユーザにより任意に選択されたアルバムデータを繰り返し再生するアルバム再生モードがある。因みに通常再生モードやアルバム再生モードでは、アルバムデータ内の複数のトラックデータが予め規定された再生順序で再生される。
【０１０５】
さらに再生モードとしては、データ記録部１３に記録されている全てのトラックデータを、対応するトラックタイトルの綴りのアルファベット順等に準じた順番を無作為に並べ替えた他の順番で再生する全トラックシャッフル再生モードがある。さらにまた再生モードとしては、ユーザにより任意に選択されたアルバムデータ内の複数のトラックデータを、予め規定された再生順序を無作為に並べ替えた他の順序で再生するアルバムシャッフル再生モードがある。
【０１０６】
そして再生部４１は、操作部１５に対するユーザ操作に応じて再生モード設定命令が入力されると、予め保持している再生モード選択画面データを表示部２０に送出する。これにより再生部４１は、表示部２０に再生モード選択画面データに基づく図１８に示すような再生モード選択画面４５を表示する。
【０１０７】
この場合、再生モード選択画面４５には、画面上側から画面下側に渡って４種類の再生モードとしての通常再生モード、アルバム再生モード、全トラックシャッフル再生モード、アルバムシャッフル再生モードの名称４５Ａ乃至４５Ｄが並べて表示されている。また再生モード選択画面４５上には、カーソルＣＵが重ねて表示されている。
【０１０８】
そして再生部４１は、操作部１５に対するユーザ操作に応じて、再生モード選択画面４５上でカーソルＣＵを画面上下方向に移動させ、４種類の再生モードの名称４５Ａ乃至４５Ｄとして何れか１つの再生モードを任意に選択させ得るようになされている。実際に再生部４１は、ユーザにより再生モード選択画面４５上でカーソルＣＵを介して何れか１つの再生モードが任意に選択されると、当該選択された再生モードでアルバムデータを再生するように設定する。そして再生部４１は、再生モードを設定した状態で、操作部１５に対するユーザ操作に応じて再生命令が入力させると、当該設定している再生モードに従ってデータ記録部１３からアルバムデータをトラックデータ単位で読み出して再生する。
【０１０９】
一方、情報追加部４２は、上述した第１の実施の形態による情報追加部１６（図２）と同様の処理を実行する。ただし情報追加部４２は、再生部４１によりデータ記録部１３からアルバムデータが再生されたときだけは、再生モードに応じてテンポラリリストＴＬ１の内容を適宜更新する。
【０１１０】
すなわち、通常再生モードでは、ユーザの好みの印象に合うアルバムであるかどうかにかかわらず、データ記録部１３に記録されている全てのアルバムデータが、再生部４１によりアーティスト名の綴りのアルファベット順等に準じて設定された順番で再生される。このため情報追加部４２は、通常再生モードに従ってデータ記録部１３から全てのアルバムデータが順番に再生されても、ユーザの好みの印象に合ったアルバムのアルバムデータが何れであるかを判別することはできない。従って情報追加部４２は、再生部４１により通常再生モードに設定されている間は、データ記録部１３からアルバムデータが再生されても、テンポラリリストＴＬ１の内容を何ら更新しないようにしている。
【０１１１】
また全トラックシャッフル再生モードでも、ユーザの好みの印象に合うトラックであるかどうかにかかわらず、再生部４１により、データ記録部１３に記録されている全てのトラックデータが順次再生される。このため情報追加部４２は、全トラックシャッフル再生モードに従ってデータ記録部１３から全てのトラックデータが順番に再生されたときにも、ユーザの好みの印象に合ったトラックのトラックデータが何れであるかを判別することはできない。従って情報追加部４２は、再生部４１により全トラックシャッフル再生モードに設定されている間は、データ記録部１３からトラックデータが再生されても、テンポラリリストＴＬ１の内容を何ら更新しないようにしている。
【０１１２】
これに対してアルバム再生モードでは、繰り返し再生するアルバムデータをユーザが選択している。すなわちアルバム再生モードでは、ユーザにより再生対象のアルバムデータとして、好みの印象に合ったアルバムのアルバムデータや記録して間もないアルバムデータが選択される可能性が著しく高い。従って情報追加部４２は、再生部４１によりアルバム再生モードに設定されている間は、データ記録部１３からアルバムデータがトラックデータ単位で再生される毎に、第１の実施の形態の場合と同様にテンポラリリストＴＬ１の内容を更新している。
【０１１３】
またアルバムシャッフル再生モードでも、再生対象のアルバムデータをユーザが選択している。すなわちアルバムシャッフル再生モードでも、ユーザにより再生対象のアルバムデータとして、好みの印象に合ったアルバムのアルバムデータや記録して間もないアルバムデータが選択される可能性が著しく高い。従って情報追加部４２は、再生部４１によりアルバムシャッフル再生モードに設定されている間は、データ記録部１３からアルバムデータ内のトラックデータが順次再生される毎に、第１の実施の形態の場合と同様にテンポラリリストＴＬ１の内容を更新している。
【０１１４】
このようにして情報追加部４２は、データ記録部１３からアルバムデータが再生されたとき、設定されている再生モードに応じてテンポラリリストＴＬ１の内容を適宜更新する。よって情報追加部４２は、ユーザが自ら再生対象としては選択しないアルバムデータが、通常再生モードや全トラックシャッフル再生モードに従ってデータ記録部１３から再生されたとき、そのアルバムデータをテンポラリリストＴＬ１に登録することを未然に回避している。
【０１１５】
次いで、図１５との対応部分に同一符号を付した図１９に示すフローチャートを用いて、上述したアルバムデータの再生時にテンポラリリストＴＬ１の内容を適宜更新する第２の再生時リスト更新処理手順ＲＴ４について説明する。すなわち情報追加部４２は、再生部４１によりデータ記録部１３からアルバムデータ内の１つのトラックデータが再生されると、図１９に示す第２の再生時リスト更新処理手順ＲＴ４を開始する。
【０１１６】
そして情報追加部４２は、かかる第２の再生時リスト更新処理手順ＲＴ４を開始すると、ステップＳＰ３１において、再生部４１により再生モードが現在、通常再生モードと異なる再生モードに設定されているか否かを判別する。このステップＳＰ３１において肯定結果が得られると、再生部４１により再生モードが現在、通常再生モードとは異なるアルバム再生モード、全トラックシャッフル再生モード及びアルバムシャッフル再生モードの何れかに設定されていることを表している。従って情報追加部４２は、かかる肯定結果を得ると、次のステップＳＰ３２に移る。
【０１１７】
ステップＳＰ３２において情報追加部４２は、再生部４１により再生モードが現在、アルバム再生モードに設定されているか否かを判別する。このステップＳＰ３２において肯定結果が得られると、このことは再生部４１によりアルバム再生モードに従ってデータ記録部１３から、ユーザにより再生対象として選択されたアルバムデータがトラックデータ単位で再生されていることを表している。すなわち、かかる肯定結果は、データ記録部１３からのトラックデータの再生に応じてテンポラリリストＴＬ１の内容を更新することで、当該テンポラリリストＴＬ１の内容にユーザの好み等を反映し得ることを表している。従って情報追加部４２は、かかる肯定結果を得ると、次のステップＳＰ１１に移る。これにより情報追加部４２は、情報削除部１８と共に上述したステップＳＰ１１乃至ステップＳＰ１４の処理と、ステップＳＰ１６乃至ステップＳＰ１９の処理とを適宜実行した後、ステップＳＰ３３に移り、第２の再生時リスト更新処理手順ＲＴ４を終了する。
【０１１８】
またステップＳＰ３２において否定結果が得られると、このことは再生部４１により再生モードが現在、全トラックシャッフル再生モード及びアルバムシャッフル再生モードの何れかに設定されていることを表している。従って情報追加部４２は、かかる否定結果を得ると、ステップＳＰ３４に移る。そしてステップＳＰ３４において情報追加部４２は、再生部４１により再生モードが現在、アルバムシャッフル再生モードに設定されているか否かを判別する。
【０１１９】
このステップＳＰ３４において肯定結果が得られると、このことは再生部４１によりアルバムシャッフル再生モードに従ってデータ記録部１３から、ユーザにより再生対象として選択されたアルバムデータがトラックデータ単位で再生されていることを表している。すなわち、かかる肯定結果は、データ記録部１３からのトラックデータの再生に応じてテンポラリリストＴＬ１の内容を更新することで、当該テンポラリリストＴＬ１の内容にユーザの好み等を反映し得ることを表している。従って情報追加部４２は、かかる肯定結果を得ると、ステップＳＰ１１に移る。これにより情報追加部４２は、情報削除部１８と共に上述したステップＳＰ１１乃至ステップＳＰ１４の処理と、ステップＳＰ１６乃至ステップＳＰ１９の処理とを適宜実行した後、ステップＳＰ３３に移り、第２の再生時リスト更新処理手順ＲＴ４を終了する。
【０１２０】
これに対してステップＳＰ３４において否定結果が得られると、このことは再生部４１により全トラックシャッフル再生モードに従ってデータ記録部１３から全てのトラックデータが順次再生されていることを表している。すなわち、かかる否定結果は、データ記録部１３からのトラックデータの再生に応じてテンポラリリストＴＬ１の内容を更新すると、当該テンポラリリストＴＬ１に対し、ユーザにより再生対象としては選択されないアルバムデータを登録する可能性があることを表している。従って情報追加部４２は、かかる否定結果を得ると、ステップＳＰ３３に移り、第２の再生時リスト更新処理手順ＲＴ４を終了する。
【０１２１】
またステップＳＰ３１において否定結果が得られると、このことは再生部４１により通常再生モードに従ってデータ記録部１３から全てのアルバムデータが順次再生されていることを表している。すなわち、かかる否定結果は、データ記録部１３からのアルバムデータの再生に応じてテンポラリリストＴＬ１の内容を更新すると、当該テンポラリリストＴＬ１に対し、ユーザにより再生対象としては選択されないアルバムデータを登録する可能性があることを表している。従って情報追加部４２は、かかる否定結果を得たときも、ステップＳＰ３３に移り、第２の再生時リスト更新処理手順ＲＴ４を終了する。
【０１２２】
（３−２）第２の実施の形態の動作及び効果
以上の構成において、携帯型再生装置４０では、再生部４１によりデータ記録部１３からアルバムデータがトラックデータ単位で再生されたとき、情報追加部４２が当該再生部４１により設定されている再生モードを判別する。その結果、携帯型再生装置４０では、情報追加部４２が、再生部４１により設定されている再生モードがアルバム再生モードやアルバムシャッフル再生モードであると判別すると、当該再生部４１によりデータ記録部１３からユーザにより任意に選択されたアルバムデータがトラックデータ単位で再生されることにより、その再生に応じてテンポラリリストＴＬ１の内容を更新する。
【０１２３】
また携帯型再生装置４０では、情報追加部４２が、再生部４１により設定されている再生モードが通常再生モードや全トラックシャッフル再生モードであると判別すると、当該再生部４１によりデータ記録部１３から全てのアルバムデータがトラックデータ単位で再生されることにより、その再生に応じてはテンポラリリストＴＬ１の内容を更新しないようにする。従って携帯型再生装置４０は、通常再生モードや全トラックシャッフル再生モードに従ってデータ記録部１３からアルバムデータが再生されたときに、ユーザが自ら再生対象としては選択しないアルバムデータをテンポラリリストＴＬ１に登録することを未然に回避することができる。
【０１２４】
以上の構成によれば、携帯型再生装置４０は、再生部４１によりデータ記録部１３からアルバムデータ内のトラックデータが再生されたとき、情報追加部４２により、設定されている再生モードを判別してアルバム再生モード及びアルバムシャッフル再生モードであると、当該アルバムデータ内のトラックデータの再生に応じてテンポラリリストＴＬ１の内容を更新し、再生モードが通常再生モード及び全トラックシャッフル再生モードであると、テンポラリリストＴＬ１の内容を更新しないようにした。これにより携帯型再生装置４０は、上述した第１の実施の形態によって得られる効果と同様な効果を得ることができると共に、かかる効果に加えて、ユーザが自ら再生対象としては選択しないアルバムデータをテンポラリリストＴＬ１に登録することを未然に回避することができる。よって携帯型再生装置４０は、テンポラリリストＴＬ１に対し、ユーザが自ら再生対象としては選択しないアルバムデータを多く登録して、所望のアルバムデータを容易には選択し得なくなること回避することができる。
【０１２５】
（４）第３の実施の形態
（４−１）第３の実施の形態による携帯型再生装置の構成
図２との対応部分に同一符号を付した図２０は、第３の実施の形態による携帯型再生装置５０の機能回路ブロックによる詳細なハードウェア構成を示し、情報追加部５１、情報削除部５２及び表示リスト生成部５３の構成を除いて上述した第１の実施の形態による携帯型再生装置１０と同様に構成されている。
【０１２６】
情報追加部５１は、上述した第１の実施の形態による情報追加部１６（図２）と同様の処理を実行する。ただし情報追加部５１は、データ記録部１３にアルバムデータが記録されたときや、データ記録部１３からアルバムデータが再生されたとき、図４との対応部分に同一符号を付した図２１に示すエントリＥＴＲを生成する。
【０１２７】
この場合、エントリＥＴＲは、上述した第１の実施の形態によるエントリＥＴ１乃至ＥＴＮ（図４）の構成に加えて、テンポラリリストからの当該エントリＥＴＲの削除を禁止するためのプロテクト情報ＰＲを格納するプロテクト情報格納部ＰＲＰを有している。そして情報追加部５１は、アルバムデータの記録に応じてエントリＥＴＲを生成したときには、例えば、プロテクト情報格納部ＰＲＰに何らプロテクト情報ＰＲを格納しない。しかしながら情報追加部５１は、例えばユーザにより再生対象としてアルバムデータが選択されたときに、エントリＥＴＲの削除を禁止するように指示されると、これに応じてプロテクト情報格納部ＰＲＰにプロテクト情報ＰＲを格納している。
【０１２８】
実際に携帯型再生装置５０では、表示リスト生成部５３の生成する再生画面を利用してユーザに対し、テンポラリリストからのエントリＥＴＲの削除を禁止するかどうかを指示させている。ここで表示リスト生成部５３は、上述した第１の実施の形態による表示リスト生成部１９（図２）と同様の処理を実行する。ただし表示リスト生成部５３は、表示部２０に上述したトラック提示画面２７（図１０）を表示した状態で、操作部１５に対するユーザ操作に応じて画面切替命令が入力されると、予め保持している再生画面データに対し、ユーザにより選択されたアルバムタイトルを示すテキストデータを合成して表示部２０に送出する。これにより表示リスト生成部５３は、表示部２０の表示画面に対しトラック提示画面２７に替えて再生画面データに基づき、図１１との対応部分に同一符号を付した図２２に示すような再生画面５５を表示する。
【０１２９】
この場合、再生画面５５には、テンポラリリストからのエントリＥＴＲの削除を禁止する削除禁止命令を入力するための削除禁止命令入力部ＰＴが設けられている。また再生画面５５には、テンポラリリストからのエントリＥＴＲの削除の禁止を解除する解除命令を入力するための解除命令入力部ＣＡも設けられている。そして表示リスト生成部５３は、操作部１５に対するユーザ操作に応じて、再生画面５５上でカーソルＣＵを画面上下方向及び画面左右方向に移動させて、削除禁止命令入力部ＰＴ及び解除命令入力部ＣＡを任意に指示させ得るようになされている。
【０１３０】
実際に表示リスト生成部５３は、操作部１５に対するユーザ操作に応じて再生画面５５上でカーソルＣＵにより削除禁止命令入力部ＰＴが指示され、削除禁止命令が入力されると、これを情報追加部５１に通知する。また表示リスト生成部５３は、このときユーザにより選択されていたアルバムタイトルも情報追加部５１に通知する。
【０１３１】
情報追加部５１は、表示部２０から削除禁止命令の入力と、ユーザにより選択されたアルバムタイトルとが通知されると、これに応じてリスト記録部１７からテンポラリリストを読み出す。また情報追加部５１は、テンポラリリスト内で、ユーザにより選択されたアルバムタイトルに対応するエントリＥＴＲを判別する。そして情報追加部５１は、このとき削除禁止命令に応じて、そのエントリＥＴＲのプロテクト情報格納部ＰＲＰに対しプロテクト情報ＰＲを格納する。これにより情報追加部５１は、ユーザにより選択されたアルバムタイトルに対応するエントリＥＴＲをテンポラリリストから削除しないように設定する。
【０１３２】
ところでエントリＥＴＲをテンポラリリストから削除しないように設定しても、表示リスト生成部５３は、操作部１５に対するユーザ操作に応じて再生画面５５上でカーソルＣＵにより解除命令入力部ＣＡが指示され、解除命令が入力されると、これを情報追加部５１に通知する。また表示リスト生成部５３は、このときユーザにより選択されていたアルバムタイトルも情報追加部５１に通知する。
【０１３３】
情報追加部５１は、表示リスト生成部５３から解除命令の入力と、ユーザにより選択されたアルバムタイトルとが通知されると、これに応じてリスト記録部１７からテンポラリリストを読み出す。また情報追加部５１は、テンポラリリスト内で、ユーザにより選択されたアルバムタイトルに対応するエントリＥＴＲを判別する。そして情報追加部５１は、このとき解除命令に応じて、そのエントリＥＴＲのプロテクト情報格納部ＰＲＰに格納されているプロテクト情報ＰＲを消去する。これにより情報追加部５１は、ユーザにより選択されたアルバムタイトルに対応するエントリＥＴＲについてすでに設定していた、テンポラリリストからの削除の禁止を解除する。
【０１３４】
そして情報削除部５２は、上述した第１の実施の形態による情報削除部１８（図２）と基本的には同様の処理を実行するものの、テンポラリリストからエントリＥＴＲを削除する場合、当該エントリＥＴＲに対するプロテクト情報ＰＲの格納の有無により、削除の禁止が設定されているかどうかを確認する。そのうえで情報削除部５２は、テンポラリリストから、削除を禁止するように設定されてはいない（すなわち、１度削除が禁止に設定されても、その後、削除の禁止が解除されたものも含む）エントリＥＴＲを選択的に削除している。
【０１３５】
すなわち、情報削除部５２は、アルバムデータの記録時や再生時に情報追加部５１によりテンポラリリストの先頭にエントリＥＴＲが追加され、追加総数が追加最大数ＭＲＥを上回ると、まずテンポラリリストに対し時間的に最も先に追加された（すなわち、後尾の）エントリＥＴＲが削除を禁止するように設定されているかどうかを確認する。その結果、情報削除部５２は、時間的に最も先に追加されたエントリＥＴＲが削除可能である（すわてち、削除を禁止するように設定されてはない）と、そのエントリＥＴＲを上述した第１の実施の形態の場合と同様にテンポラリリストから削除する。
【０１３６】
これに対して図２３に示すように、情報削除部５２は、テンポラリリストＴＬ２に対し時間的に最も先に追加されたエントリＥＴＲＮが削除を禁止するように設定されていると、当該エントリＥＴＲＮを削除しないようにする。そして情報削除部５２は、テンポラリリストＴＬ２において時間的に最も先に追加されたエントリＥＴＲＮよりも順次１つ前（すなわち、先頭側）のエントリＥＴＲ（Ｎ−１）乃至ＥＴＲＸが、削除を禁止するように設定されているかどうかを確認するようにして、テンポラリリストＴＬ２の最も後尾側で、削除可能な１つのエントリＥＴＲ（Ｎ−１）を検出する。
【０１３７】
これにより情報削除部５２は、削除可能な１つのエントリＥＴＲ（Ｎ−１）において前方リンク情報ＦＬ及び後方リンク情報ＢＬを消去する。よって情報削除部５２は、テンポラリリストＴＬ２内の複数のエントリＥＴＲＸ及びＥＴＲ１乃至ＥＴＲＮの並びから、削除可能な１つのエントリＥＴＲ（Ｎ−１）を外して削除する。
【０１３８】
因みに情報削除部５２は、削除可能なエントリＥＴＲ（Ｎ−１）を並びから外すまで当該削除可能なエントリＥＴＲ（Ｎ−１）よりも１つ前であったエントリＥＴＲ（Ｎ−２）の後方リンク情報ＢＬの内容を、削除可能なエントリＥＴＲ（Ｎ−１）を並びから外すまで当該削除可能なエントリＥＴＲ（Ｎ−１）よりも１つ後であったエントリＥＴＲＮのエントリ開始位置を示すように変更する。また情報追加部５１は、削除可能なエントリＥＴＲ（Ｎ−１）を並びから外すまで当該削除可能なエントリＥＴＲ（Ｎ−１）よりも１つ後であったエントリＥＴＲＮの前方リンク情報ＦＬの内容を、削除可能なエントリＥＴＲ（Ｎ−１）を並びから外すまで当該削除可能なエントリＥＴＲ（Ｎ−１）よりも１つ前であったエントリＥＴＲ（Ｎ−２）のエントリ開始位置を示すように変更する。
【０１３９】
このようにして情報削除部５２は、テンポラリリストＴＬ２において削除可能なエントリＥＴＲ（Ｎ−１）の前後２つのエントリＥＴＲ（Ｎ−２）及びＥＴＲＮを連結することで、当該削除可能なエントリＥＴＲ（Ｎ−１）よりも後尾側の全てのエントリＥＴＲＮの順番を先頭側に順次１つ繰り上げて規定し直す。これにより情報削除部５２は、テンポラリリストＴＬ２に新たなエントリＥＴＲＸを追加して追加総数が追加最大数ＭＲＥを上回っても、削除を禁止するように設定されているエントリＥＴＲＮを除いて、他の削除可能なエントリＥＴＲ（Ｎ−１）を選択的に削除している。
【０１４０】
また図２４に示すように、情報削除部５２は、携帯型再生装置５０に対する電源投入時、リスト記録部１７からテンポラリリストＴＬ２内の後尾のエントリＥＴＲＮから先頭のエントリＥＴＲ１までを順番に読み出す毎に、当該読み出した１つのエントリＥＴＲＮ乃至ＥＴＲ１が削除を禁止するように設定されているかどうかを確認する。そして情報削除部５２は、エントリＥＴＲＮ乃至ＥＴＲ１が削除を禁止するように設定されていると、当該エントリＥＴＲＮ乃至ＥＴＲ１に対する以後の記録日時ＷＴや再生日時ＲＴを用いる処理を何ら実行せずに、次のエントリＥＴＲＮ乃至ＥＴＲ１について削除を禁止するように設定されているかどうかを確認する。
【０１４１】
すなわち情報削除部５２は、エントリＥＴＲＮ乃至ＥＴＲ１が削除可能であることを確認したときにのみ、以後の記録日時ＷＴや再生日時ＲＴを用いる処理を実行して、実際に削除するかどうかを判別している。よって情報削除部５２は、テンポラリリストＴＬ２内の後尾のエントリＥＴＲＮでも、削除を禁止するように設定されていると、そのエントリＥＴＲＮを削除しないようにする。また情報削除部５２は、テンポラリリストＴＬ２内の並びの途中に、削除可能であり（すなわち、削除を禁止するように設定されてはいない）、実際に記録日時ＥＴ及び再生日時ＲＴの両方ともが現在時刻より一週間以上前であるエントリＥＴＲ（Ｎ−１）が存在すると、そのエントリＥＴＲ（Ｎ−１）については、図２３について上述した場合と同様にテンポラリリストＴＬ２から削除する。
【０１４２】
このようにして情報削除部５２は、テンポラリリストＴＬ２内に、実際には記録日時ＥＴ及び再生日時ＲＴの両方ともが現在時刻より一週間以上前であるエントリＥＴＲＮ乃至ＥＴＲ１が存在していても、そのエントリＥＴＲＮ乃至ＥＴＲ１が削除可能でなければ、削除せずにテンポラリリストＴＬ２内に残すようにしている。よって情報削除部５２は、再生の頻度が比較的少なく、また再生時期も不定期なアルバムデータであっても、ユーザが例えば悲しいときに元気を出すための定番にしているアルバムのアルバムデータや、眠気を覚ますために定番にしているアルバムのアルバムデータのように、何時でも容易に選択可能な状態にしておくように望まれたアルバムデータを、テンポラリリストＴＬ２に登録し続けることができる。
【０１４３】
次いで、図２５に示すフローチャートを用いて、上述したエントリＥＴＲに対し削除の禁止を設定する削除設定処理手順ＲＴ５について説明する。すなわち、情報追加部５１は、表示部２０に再生画面５５が表示されると、図２５に示す削除設定処理手順ＲＴ５を開始する。情報追加部５１は、かかる削除設定処理手順ＲＴ５を開始すると、ステップＳＰ４１においてユーザにより再生対象として選択されたアルバムデータに対応するエントリＥＴＲを、削除を禁止するように設定するか否かを判別する。このステップＳＰ４１において肯定結果が得られると、このことはユーザにより、このとき再生対象として選択したアルバムデータを再生の頻度や再生時期のばらつきにかかわらずにテンポラリリストＴＬ２に登録し続けるように指示されたことを表している。従って情報追加部５１は、かかる肯定結果を得ると、次のステップＳＰ４２に移る。
【０１４４】
そしてステップＳＰ４２において情報追加部５１は、このときユーザにより再生対象として選択されたアルバムデータに対応するエントリＥＴＲにプロテクト情報を格納して、そのエントリＥＴＲを、削除を禁止するように設定した後、次のステップＳＰ４３に移って、削除設定処理手順ＲＴ５を終了する。これに対してステップＳＰ４１において否定結果が得られると、このことは再生対象として選択されたアルバムデータをすでに削除を禁止するように設定しているものの、ユーザにより例えば生活シーンに合わせた定番のアルバムが変更されたことで、削除の禁止を解除するように指示された、又はユーザにより、このとき再生対象として選択したアルバムデータをテンポラリリストＴＬ２に登録し続けるようには未だ要求されていないことを表している。従って情報追加部５１は、かかる否定結果を得ると、ステップＳＰ４４に移る。
【０１４５】
ステップＳＰ４４において情報追加部５１は、ユーザによりこのとき再生対象として選択されたアルバムデータに対応するエントリＥＴＲについて、すでに設定していた削除の禁止を解除するか否かを判別する。このステップＳＰ４４において肯定結果が得られると、このことは再生対象として選択されたアルバムデータをすでに削除を禁止するように設定しているものの、ユーザにより例えば生活シーンに合わせた定番のアルバムが変更されたことで、削除の禁止を解除するように指示されたことを表している。従って情報追加部５１は、かかる肯定結果を得ると、次のステップＳＰ４５に移る。そしてステップＳＰ４５において情報追加部５１は、このときユーザにより再生対象として選択されたアルバムデータに対応するエントリＥＴＲ内のプロテクト情報を消去して、そのエントリＥＴＲに対する削除の禁止を解除した後、次のステップＳＰ４３に移って、削除設定処理手順ＲＴ５を終了する。
【０１４６】
またステップＳＰ４４において否定結果が得られると、このことはユーザにより、このとき再生対象として選択したアルバムデータをテンポラリリストＴＬ２に登録し続けるようには未だ要求されていないことを表している。従って情報追加部５１は、かかる否定結果を得ると、ステップＳＰ４３に移り、削除設定処理手順ＲＴ５を終了する。
【０１４７】
次いで、図１４との対応部分に同一符号を付した図２６に示すフローチャートを用いて、上述したアルバムデータの記録時にテンポラリリストＴＬ２の内容を更新する第２の記録時リスト更新処理手順ＲＴ６について説明する。すなわち、情報追加部５１は、データ記録部１３にアルバムデータが記録されると、図２６に示す第２の記録時リスト更新処理手順ＲＴ６を開始する。そして情報追加部５１は、かかる第２の記録時リスト更新処理手順ＲＴ６を開始すると、ステップＳＰ１及びステップＳＰ２の処理を順次実行した後、次のステップＳＰ３に移る。
【０１４８】
ステップＳＰ３において情報削除部５２は、否定結果を得ると、ステップＳＰ５１に移る。そしてステップＳＰ５１において情報削除部５２は、テンポラリリストＴＬ２の最も後尾側で削除可能なエントリＥＴＲを検出して削除すると共に、これに応じて当該テンポラリリストＴＬ２内の残りのエントリＥＴＲの並びを規定し直して、次のステップＳＰ５２に移る。これにより情報削除部５２は、第２の記録時リスト更新処理手順ＲＴ６を終了する。因みにステップＳＰ３において情報削除部５２は、肯定結果を得ると、次のステップＳＰ５２に移り、第２の記録時リスト更新処理手順ＲＴ６を終了する。
【０１４９】
次いで、図１５との対応部分に同一符号を付した図２７に示すフローチャートを用いて、上述したアルバムデータの再生時にテンポラリリストＴＬ２の内容を更新する第３の再生時リスト更新処理手順ＲＴ７について説明する。すなわち情報追加部５１は、再生部１４によりデータ記録部１３からアルバムデータ内の１つのトラックデータが再生されると、図２７に示す第３の再生時リスト更新処理手順ＲＴ７を開始する。そして情報追加部５１は、かかる第３の再生時リスト更新処理手順ＲＴ７を開始すると、ステップＳＰ１１乃至ステップＳＰ１３の処理を順次実行した後、次のステップＳＰ１４に移る。
【０１５０】
ステップＳＰ１４において情報削除部５２は、否定結果を得ると、ステップＳＰ６１に移る。そしてステップＳＰ６１において情報削除部５２は、テンポラリリストＴＬ２の最も後尾側で削除可能なエントリＥＴＲを検出して削除すると共に、これに応じて当該テンポラリリストＴＬ２内の残りのエントリＥＴＲの並びを規定し直して、次のステップＳＰ６２に移る。これにより情報削除部５２は、第３の再生時リスト更新処理手順ＲＴ７を終了する。因みにステップＳＰ１４において情報削除部５２は、肯定結果を得ると、次のステップＳＰ６２に移り、第３の再生時リスト更新処理手順ＲＴ７を終了する。
【０１５１】
次いで、図１６との対応部分に同一符号を付した図２８に示すフローチャートを用いて、上述した電源投入時にテンポラリリストＴＬ２の内容を更新する第２の電源投入時リスト更新処理手順ＲＴ８について説明する。すなわち情報削除部５２は、携帯型再生装置５０に対する電源投入時に、リスト記録部１７から１つのエントリＥＴＲを読み出すと、図２８に示す第２の電源投入時リスト更新処理手順ＲＴ８を開始する。情報削除部５２は、かかる第２の電源投入時リスト更新処理手順ＲＴ８を開始すると、ステップＳＰ７１においてリスト記録部１７から読み出したエントリＥＴＲが削除可能であるか否かを判別する。
【０１５２】
このステップＳＰ７１において肯定結果が得られると、このことはユーザにより、エントリＥＴＲによって登録しているアルバムデータをテンポラリリストＴＬ２に登録し続けるようには特に要求されていないことを表している。従って情報追加部５１は、かかる肯定結果を得ると、続くステップＳＰ２１乃至ステップＳＰ２３の処理を順次実行した後、次のステップＳＰ７２に移り、第２の電源投入時リスト更新処理手順ＲＴ８を終了する。
【０１５３】
これに対してステップＳＰ７１において否定結果が得られると、このことは、すでにユーザの指示に応じてエントリＥＴＲを、削除を禁止するように設定していることを表している。従って情報追加部５１は、かかる否定結果を得ると、ステップＳＰ７２に移り、第２の電源投入時リスト更新処理手順ＲＴ８を終了する。
【０１５４】
（４−２）第３の実施の形態の動作及び効果
以上の構成において、携帯型再生装置５０では、情報追加部５１が、ユーザによって選択されたアルバムデータを登録するエントリＥＴＲを、当該ユーザの指示に応じてテンポラリリストＴＬ２から削除しないように設定する。そして携帯型再生装置５０では、情報削除部５２がテンポラリリストＴＬ２からエントリＥＴＲを削除するとき、削除を禁止するように設定されているかどうかを確認したうえで、削除可能な（すなわち、削除を禁止するように設定してはいない）エントリＥＴＲを選択的に削除する。従って携帯型再生装置５０は、再生の頻度が比較的少なく、また再生時期も不定期なアルバムデータであっても、ユーザによって気に入られたアルバムのアルバムデータをテンポラリリストＴＬ２に登録し続けることができる。
【０１５５】
以上の構成によれば、携帯型再生装置５０では、情報追加部５１が、ユーザによって選択されたアルバムデータを登録するエントリＥＴＲを、当該ユーザの指示に応じてテンポラリリストＴＬ２から削除しないように設定し、情報削除部５２がテンポラリリストＴＬ２からエントリＥＴＲを削除するとき、削除を禁止するように設定されているかどうかを確認したうえで、削除可能なエントリＥＴＲを選択的に削除するようにした。これにより携帯型再生装置５０は、上述した第１の実施の形態によって得られる効果と同様な効果を得ることができると共に、かかる効果に加えて、アルバムデータを再生の頻度や再生時期のばらつきにかかわらずにテンポラリリストＴＬ２に登録し続けることができる。よって携帯型再生装置５０は、何時でも容易に選択可能な状態にしておくように望まれたアルバムデータを、テンポラリリストＴＬ２を用いて容易に選択させることができる。
【０１５６】
（５）第４の実施の形態
図２９は、第４の実施の形態による携帯型再生装置６０のハードウェア回路ブロックによるハードウェア回路構成を示す。かかる携帯型再生装置６０においてマイクロコンピュータ構成の制御部６１は、ＲＯＭ（Read Only Memory）６２又はハードディスク６３に予め記録されている基本プログラムやアプリケーションプログラム等の各種プログラムをＲＡＭ（Random Access Memory）６４に読み出す。そして制御部６１は、ＲＡＭ６４上で展開したこれら各種プログラムに従って携帯型再生装置６０全体を制御すると共に、所定の演算処理を実行する。また制御部６１は、各種プログラムに従い、携帯型再生装置６０の筐体表面やリモートコントローラ（図示せず）に設けられた種々の操作キー６５へのユーザ操作に応じて入力される種々の命令や要求に応じた各種処理も実行する。
【０１５７】
これにより制御部６１は、外部のパーソナルコンピュータ８０からアルバムデータ及びこれに対応するアルバム関連情報が転送される毎に、当該転送されたアルバムデータ及びアルバム関連情報を、ＵＳＢ（Universal Serial Bus）コントローラ６６を介して取り込んでＲＡＭ６４に一旦格納する。そして制御部６１は、ＲＡＭ６４に一旦格納したアルバムデータ及びアルバム関連情報を、ハードディスクコントローラ６７を介してハードディスク６３に送出する。これにより制御部６１は、ハードディスク６３にアルバムデータを記録すると共に、アルバム関連情報を当該アルバムデータと対応付けて記録する。このようにして制御部６１は、ハードディスク６３に対し、パーソナルコンピュータ８０から転送される多数のアルバムデータを記録し得るようになされている。
【０１５８】
また制御部６１は、操作キー６５へのユーザ操作に応じてアルバムデータの選択要求が入力されると、ハードディスクコントローラ６７を介してハードディスクから多数のアルバム関連情報を読み出す。そして制御部６１は、これら多数のアルバム関連情報に基づいて、多数のアルバムデータに対応するアーティスト名のリストやアルバムタイトルのリスト等を生成し、液晶コントローラ６８を介して液晶パネル６９に送出する。これにより制御部６１は、液晶パネル６９に対し、ハードディスク６３に記録している多数のアルバムデータに対応するアーティスト名のリストやアルバムタイトルのリスト等を表示してユーザに提示する。
【０１５９】
この状態で制御部６１は、操作キー６５へのユーザ操作に応じて、液晶パネル６９に表示したリスト上でユーザにより所望のアーティスト名やアルバムタイトル等が選択されると、これに応じてハードディスクコントローラ６７を介してハードディスク６３から当該ユーザにより選択されたアーティスト名やアルバムタイトル等に対応するアルバムデータを読み出してＲＡＭ６４に一旦格納する。そして制御部６１は、ＲＡＭ６４に一旦格納したアルバムデータをオーディオデコーダ７０に送出する。オーディオデコーダ７０は、アルバムデータに対しデコード処理を施した後、デジタル／アナログ変換器７１においてデジタル／アナログ変換してスピーカ７２に送出する。これにより制御部６１は、スピーカ７２からアルバム内の複数のトラックを順次出力してユーザに聴かせることができる。
【０１６０】
ところで携帯型再生装置６０は、上述したように基本的には制御部６１がＲＯＭ６２又はハードディスク６３に記録された各種プログラムに従って各種処理を実行すると共に各ハードウェアを制御している。このため携帯型再生装置６０では、図２、図１７及び図２０について上述した第１乃至第３の実施の形態の機能回路ブロックによるハードウェア構成の携帯型再生装置１０、４０及び５０の機能に応じて、ＲＯＭ６２又はハードディスク６３に記録する各種プログラムをリスト更新プログラムのように適宜選定することにより、制御部６１を上述の情報追加部１６及び４２並びに５１、情報削除部１８及び５２、表示リスト生成部１９及び５３と同様に機能させることができる。
【０１６１】
また携帯型再生装置６０では、制御部６１及びＵＳＢコントローラ６６を上述の接続部１１と同様に機能させることができると共に、ハードディスク６３及びハードディスクコントローラ６７を上述のデータ記録部１３やリスト記録部１７と同様に機能させることができる。さらに携帯型再生装置６０では、制御部６１、オーディオデコーダ７０、デジタル／アナログ変換器７１及びスピーカ７２を上述の再生部１４及び４１と同様に機能させることができると共に、液晶コントローラ６８及び液晶パネル６９を上述の表示部２０と同様に機能させることができる。因みにパーソナルコンピュータ８０は、上述の外部装置１２に対応する。
【０１６２】
従って携帯型再生装置６０は、上述した第１乃至第３の実施の形態の携帯型再生装置１０、４０及び５０の機能に応じて、ＲＯＭ６２又はハードディスク６３に記録させる各種プログラムをリスト更新プログラムのように適宜選定することにより、当該第１乃至第３の実施の形態の携帯型再生装置１０、４０及び５０と同様の上述した処理を実行することができる。よって携帯型再生装置６０は、上述した第１乃至第３の実施の形態と同様の効果を得ることができる。
【０１６３】
（６）他の実施の形態
なお上述した第１乃至第４の実施の形態においては、アルバムデータの記録時、アルバムデータの再生時、携帯型再生装置１０、４０、５０及び６０に対する電源投入時にテンポラリリストＴＬ１及びＴＬ２からのエントリＥＴ１乃至ＥＴＮ及びＥＴＲの削除処理を実行するようにした場合について述べたが、本発明はこれに限らず、アルバムデータの記録時、アルバムデータの再生時、携帯型再生装置１０、４０、５０及び６０に対する電源投入時の少なくとも何れか１つでのみテンポラリリストＴＬ１及びＴＬ２からのエントリＥＴ１乃至ＥＴＮ及びＥＴＲの削除処理を実行するようにしても良いし、これらアルバムデータの記録時、アルバムデータの再生時、携帯型再生装置１０、４０、５０及び６０に対する電源投入時には削除処理を実行せずに、又はこれらアルバムデータの記録時、アルバムデータの再生時、携帯型再生装置１０、４０、５０及び６０に対する電源投入時の少なくとも１つと共に、日が変わったときのように定期的にテンポラリリストＴＬ１及びＴＬ２からのエントリＥＴ１乃至ＥＴＮ及びＥＴＲの削除処理を実行するようにしても良い。
【０１６４】
また上述した第１乃至第４の実施の形態においては、携帯型再生装置１０、４０、５０及び６０に対する電源投入時に、エントリＥＴ１乃至ＥＴＮ及びＥＴＲに格納されている記録日時ＥＴ及び再生日時ＲＴが共に現在時刻より一週間以上前なら、テンポラリリストＴＬ１及びＴＬ２から、そのエントリＥＴ１乃至ＥＴＮ及びＥＴＲを削除するようにした場合について述べたが、本発明はこれに限らず、携帯型再生装置１０、４０、５０及び６０に対する電源投入時又は定期的に、エントリＥＴ１乃至ＥＴＮ及びＥＴＲに格納されている記録日時ＥＴ及び再生日時ＲＴがそれぞれ現在時刻より異なる所定時間以上前なら、テンポラリリストＴＬ１及びＴＬ２から、そのエントリＥＴ１乃至ＥＴＮ及びＥＴＲを削除するようにしても良い。
【０１６５】
例えば、情報削除部１８は、携帯型再生装置１０に対する電源投入時に、リスト記録部１７から１つのエントリＥＴＮ乃至ＥＴ１を読み出すと、図１６との対応部分に同一符号を付した図３０に示す第３の電源投入時リスト更新処理手順ＲＴ９を開始する。情報削除部１８は、かかる第３の電源投入時リスト更新処理手順ＲＴ９を開始すると、ステップＳＰ８１においてエントリＥＴＮ乃至ＥＴ１内の記録日時ＷＴが現在時刻より一ヶ月以上前であるか否かを判別して肯定結果を得ると、続くステップＳＰ２２及びステップＳＰ２３の処理を順次実行した後、ステップＳＰ８２に移り、第３の電源投入時リスト更新処理手順ＲＴ９を終了する。また情報削除部１８は、ステップＳＰ８１において否定結果を得ると、ステップＳＰ８２に移り、第３の電源投入時リスト更新処理手順ＲＴ９を終了する。このようにして携帯型再生装置１０、４０、５０及び６０では、電源投入時にテンポラリリストＴＬ１及びＴＬ２からエントリＥＴ１乃至ＥＴＮ及びＥＴＲを削除するようにしても良い。
【０１６６】
これに加えて携帯型再生装置１０、４０、５０及び６０では、電源投入時にエントリＥＴ１乃至ＥＴＮ及びＥＴＲに格納されている記録日時ＥＴ及び再生日時ＲＴの何れか一方のみを現在時刻と比較し、その比較結果に応じてテンポラリリストＴＬ１及びＴＬ２からエントリＥＴ１乃至ＥＴＮ及びＥＴＲを削除するようにしても良い。さらに携帯型再生装置１０、４０、５０及び６０では、エントリＥＴ１乃至ＥＴＮ及びＥＴＲに格納されている記録日時ＷＴや再生日時ＲＴから現在時刻までの実時間をそれぞれ検出し、これら２種類の実時間をそれぞれ重み付けして少なくとも一方が所定時間を越えていたら、テンポラリリストＴＬ１及びＴＬ２からエントリＥＴ１乃至ＥＴＮ及びＥＴＲを削除するようにしても良い。
【０１６７】
さらに上述した第１乃至第４の実施の形態においては、テンポラリリストＴＬ１及びＴＬ２においてエントリＥＴ１乃至ＥＴＮ及びＥＴＲの並びを、追加や削除に応じて規定するようにした場合について述べたが、本発明はこれに限らず、テンポラリリストＴＬ１及びＴＬ２に対し単にエントリＥＴ１乃至ＥＴＮ及びＥＴＲを追加して、当該テンポラリリストＴＬ１及びＴＬ２内のエントリＥＴ１乃至ＥＴＮ及びＥＴＲの並びを、追加や削除にかかわらずに、記録日時ＷＴ及び再生日時ＲＴの少なくとも一方で規定するようにしても良い。かかる構成によれば、エントリＥＴ１乃至ＥＴＮ及びＥＴＲの構成を、前方リンク情報ＦＬ及び後方リンク情報ＢＬを除いて簡易化することができる。
【０１６８】
さらに上述した第１乃至第４の実施の形態においては、エントリＥＴ１乃至ＥＴＮ及びＥＴＲをアルバムデータ毎に生成してテンポラリリストＴＬ１及びＴＬ２にアルバムデータを登録するようにした場合について述べたが、本発明はこれに限らず、エントリをトラックデータ毎に生成してテンポラリリストにトラックデータを個別に登録するようにしても良い。そしてテンポラリリストにおいてトラックデータに対応するエントリを追加や削除するようにしても良い。また上述した第３及び第４の実施の形態では、アルバムデータに対応するエントリＥＴ１乃至ＥＴＮ及びＥＴＲについて削除を禁止するように設定したが、トラックデータに対応するエントリについて削除を禁止するようにしても良い。
【０１６９】
さらに上述した第２の実施の形態においては、再生モードとして全トラックシャッフル再生モード及びアルバムシャッフル再生モードを設定可能にして、これらのうちアルバムシャッフル再生モードに従ったアルバムデータの再生に応じてのみテンポラリリストＴＬ１の内容を更新するようにした場合について述べたが、本発明はこれに限らず、再生モードとして、データ記録部１３に記録している全てのトラックデータから順次無作為に１つのトラックデータを選択して再生する全トラックランダム再生モードと、ユーザにより再生対象として選択されたアルバムデータ内の複数のトラックデータから順次無作為に１つのトラックデータを選択して再生するアルバムランダム再生モードとを設定可能にして、これらのうちアルバムランダム再生モードに従ったアルバムデータの再生に応じてのみテンポラリリストＴＬ１の内容を更新するようにしても良い。
【０１７０】
さらに上述した第３の実施の形態においては、ユーザの指示に応じてエントリＥＴＲ１乃至ＥＴＲＮを、削除を禁止するように設定し、またユーザの指示に応じて削除の禁止を解除するようにした場合について述べたが、本発明はこれに限らず、エントリＥＴＲ１乃至ＥＴＲＮを生成したときに自動的に削除を禁止するように設定しておき、この後、ユーザの指示に応じて削除の禁止を解除するようにしても良い。
【０１７１】
さらに上述した第１乃至第４の実施の形態においては、携帯型再生装置１０、４０、５０及び６０においてアルバムデータの記録及び再生に応じてテンポラリリストＴＬ１及びＴＬ２の内容を更新（エントリＥＴ１乃至ＥＴＮ及びＥＴＲを追加や削除）するようにした場合について述べたが、本発明はこれに限らず、携帯型再生装置１０、４０、５０及び６０が例えばホームサーバと常時又は定期的に通信して、アルバムデータの記録や再生を通知することにより、当該ホームサーバが、その通知に応じてテンポラリリストＴＬ１及びＴＬ２の内容を更新（エントリＥＴ１乃至ＥＴＮ及びＥＴＲを追加や削除）して当該テンポラリリストＴＬ１及びＴＬ２を携帯型再生装置１０、４０、５０及び６０に送信し上書保持させるようにしても良い。
【０１７２】
さらに上述した第１乃至第４の実施の形態においては、本発明によるリスト更新プログラムを、携帯型再生装置６０のＲＯＭ６２又はハードディスク６３に記録するリスト更新プログラムに適用するようにした場合について述べたが、本発明はこれに限らず、携帯型再生装置６０に対しリスト更新プログラムが格納されたプログラム格納媒体をインストールするようにしても良い。
【０１７３】
なお、リスト更新プログラムを携帯型再生装置６０にインストールして実行可能な状態にするためのプログラム格納媒体としては、例えばフレキシブルディスク、ＣＤ−ＲＯＭ（Compact Disc-Read Only Memory ）、ＤＶＤ（Digital Versatile Disc）等のパッケージメディアのみならず、各種プログラムが一時的もしくは永続的に格納される半導体メモリや磁気ディスク等で実現しても良い。また、これらプログラム格納媒体にリスト更新プログラムを格納する手段としては、ローカルエリアネットワークやインターネット、デジタル衛星放送等の有線及び無線通信媒体を利用しても良く、ルータやモデム等の各種通信インタフェースを介して格納するようにしても良い。
【０１７４】
さらに上述した第１乃至第４の実施の形態においては、本発明によるリスト更新装置を、図１乃至図３０について上述したリスト更新装置１や携帯型再生装置１０、４０、５０、６０に適用するようにした場合について述べたが、本発明はこれに限らず、パーソナルコンピュータや携帯電話機、ＰＤＡ（Personal Digital Assistance ）、ゲーム機器等の情報処理装置、ハードディスクレコーダ等の据置型の記録再生装置等のように、この他種々の構成のリスト更新装置に広く適用することができる。
【０１７５】
さらに上述した第１乃至第４の実施の形態においては、コンテンツデータとして、図１乃至図３０について上述したアルバムデータを適用するようにした場合について述べたが、本発明はこれに限らず、トラックデータや、写真画像データ、映画のような動画像データ、ゲームプログラム等のように、この他種々のコンテンツデータを広く適用することができる。
【０１７６】
さらに上述した第１乃至第４の実施の形態においては、コンテンツデータの識別情報のリストとして、図１乃至図３０について上述した再生に利用可能なテンポラリリストＴＬ１及びＴＬ２を適用するようにした場合について述べたが、本発明はこれに限らず、コンテンツデータの転送に利用するリスト等のように、この他種々のリストを広く適用することができる。
【０１７７】
さらに上述した第１乃至第４の実施の形態においては、リストに対し、コンテンツデータの再生に応じて当該コンテンツデータの識別情報を追加し、コンテンツデータの記録に応じて当該コンテンツデータの識別情報を追加する情報追加部として、図１乃至図３０について上述したリスト更新装置１の情報追加部２や携帯型再生装置１０、４０、５０、６０の情報追加部１６、４２、５１及び制御部６１を適用するようにした場合について述べたが、本発明はこれに限らず、中央処理ユニット（CPU:Central Processing Unit ）等のように、この他種々の情報追加部を広く適用することができる。
【０１７８】
さらに上述した第１乃至第４の実施の形態においては、コンテンツデータの再生又は記録の履歴に応じて、リストから特定のコンテンツデータの識別情報を削除する情報削除部として、図１乃至図３０について上述したリスト更新装置１の情報削除部３や携帯型再生装置１０、４０、５０、６０の情報削除部１８、５２及び制御部６１を適用するようにした場合について述べたが、本発明はこれに限らず、中央処理ユニット等のように、この他種々の情報削除部を広く適用することができる。
【０１７９】
さらに上述した第１乃至第４の実施の形態においては、リストを表示する表示部として、図１乃至図３０について上述した携帯型再生装置１０、４０、５０、６０の表示部２０、液晶コントローラ６８及び液晶パネル６９を適用するようにした場合について述べたが、本発明はこれに限らず、テレビジョン受像機等のように、この他種々の表示部を広く適用することができる。
【産業上の利用可能性】
【０１８０】
本発明は、パーソナルコンピュータや携帯型プレーヤ等のリスト更新装置に利用することができる。
【図面の簡単な説明】
【０１８１】
【図１】本発明によるリスト更新装置の概要を示すブロック図である。
【図２】第１の実施の形態による携帯型再生装置の機能回路ブロックによるハードウェア回路構成を示すブロック図である。
【図３】テンポラリリストの構成を示す略線図である。
【図４】エントリの構成を示す略線図である。
【図５】アルバムデータの記録に応じたテンポラリリストへのエントリの追加の説明に供する略線図である。
【図６】テンポラリリストからのエントリの削除の説明に供する略線図である。
【図７】アーティスト名リストの生成の説明に供する略線図である。
【図８】アルバムタイトルリストの生成の説明に供する略線図である。
【図９】トラックリストの生成の説明に供する略線図である。
【図１０】リストの表示の説明に供する略線図である。
【図１１】再生画面の構成を示す略線図である。
【図１２】アルバムデータの再生に応じたテンポラリリストへのエントリの追加の説明に供する略線図である。
【図１３】電源投入時におけるテンポラリリストからのエントリの削除の説明に供する略線図である。
【図１４】第１の記録時リスト更新処理手順を示すフローチャートである。
【図１５】第１の再生時リスト更新処理手順を示すフローチャートである。
【図１６】電源投入時リスト更新処理手順を示すフローチャートである。
【図１７】第２の実施の形態による携帯型再生装置の機能回路ブロックによるハードウェア回路構成を示すブロック図である。
【図１８】再生モード選択画面の構成を示す略線図である。
【図１９】第２の再生時リスト更新処理手順を示すフローチャートである。
【図２０】第３の実施の形態による携帯型再生装置の機能回路ブロックによるハードウェア回路構成を示すブロック図である。
【図２１】エントリの構成を示す略線図である。
【図２２】再生画面の構成を示す略線図である。
【図２３】テンポラリリストからのエントリの削除の説明に供する略線図である。
【図２４】電源投入時におけるテンポラリリストからのエントリの削除の説明に供する略線図である。
【図２５】削除設定処理手順を示すフローチャートである。
【図２６】第２の記録時リスト更新処理手順を示すフローチャートである。
【図２７】第３の再生時リスト更新処理手順を示すフローチャートである。
【図２８】第２の電源投入時リスト更新処理手順を示すフローチャートである。
【図２９】第４の実施の形態による携帯型再生装置のハードウェア回路ブロックによるハードウェア回路構成を示すブロック図である。
【図３０】第３の電源投入時リスト更新処理手順を示すフローチャートである。
【符号の説明】
【０１８２】
１……リスト更新装置、２、１６、４２、５１……情報追加部、３、１８、５２……情報削除部、１０、４０、５０、６０……携帯型再生装置、１３……データ記録部、１４、４１……再生部、１７……リスト記録部、１９、５３……表示リスト生成部、２０……表示部、６１……制御部、６３……ハードディスク、６８……液晶コントローラ、６９……液晶パネル、７０……オーディオデコーダ、７１……デジタル／アナログ変換器、７２……スピーカ、ＡＢＬ……アルバムタイトルリスト、ＡＲＬ……アーティスト名リスト、ＥＴ、ＥＴＲ……エントリ、ＭＩＰ……音楽情報、ＭＲＥ……追加最大数、ＲＴ……再生日時、ＴＬ１、ＴＬ２……テンポラリリスト、ＴＲＬ……トラックタイトルリスト、ＷＴ……記録日時、ＲＴ１……第１の記録時リスト更新処理手順、ＲＴ２……第１の再生時リスト更新処理手順、ＲＴ３……第１の電源投入時リスト更新処理手順、ＲＴ４……第２の再生時リスト更新処理手順、ＲＴ５……削除設定処理手順、ＲＴ６……第２の記録時リスト更新処理手順、ＲＴ７……第３の再生時リスト更新処理手順、ＲＴ８……第２の電源投入時リスト更新処理手順、ＲＴ９……第３の電源投入時リスト更新処理手順。
【図１】
2008158593.tif 000003
【図２】
2008158593.tif 000004
【図３】
2008158593.tif 000005
【図４】
2008158593.tif 000006
【図５】
2008158593.tif 000007
【図６】
2008158593.tif 000008
【図７】
2008158593.tif 000009
【図８】
2008158593.tif 000010
【図９】
2008158593.tif 000011
【図１０】
2008158593.tif 000012
【図１１】
2008158593.tif 000013
【図１２】
2008158593.tif 000014
【図１３】
2008158593.tif 000015
【図１４】
2008158593.tif 000016
【図１５】
2008158593.tif 000017
【図１６】
2008158593.tif 000018
【図１７】
2008158593.tif 000019
【図１８】
2008158593.tif 000020
【図１９】
2008158593.tif 000021
【図２０】
2008158593.tif 000022
【図２１】
2008158593.tif 000023
【図２２】
2008158593.tif 000024
【図２３】
2008158593.tif 000025
【図２４】
2008158593.tif 000026
【図２５】
2008158593.tif 000027
【図２６】
2008158593.tif 000028
【図２７】
2008158593.tif 000029
【図２８】
2008158593.tif 000030
【図２９】
2008158593.tif 000031
【図３０】
2008158593.tif 000032